(57)【要約】【課題】満充電になった後に充放電可能装置の過充電を抑制可能な充電装置を提供する。【解決手段】充電電源１０１、充電制御装置１０２、電磁アクチュエータ導電装置１１０、通電励磁巻線１０３、充放電可能装置１０４、充放電可能装置１０４の充電状態を検出する充電状態検出装置１０７を備える。充放電可能装置１０４は電磁アクチュエータ導電装置１１０に入れ込まれる。満充電になると、電磁アクチュエータ導電装置１１０が制御され、充放電可能装置１０４に対する支持が解除されるとともに充電が停止する。【選択図】  図２２
2011083185.tif 000002
【特許請求の範囲】
【請求項１】
充電電源、充電制御装置、電磁アクチュエータ導電装置、通電励磁巻線、充放電可能装置、及び充放電可能装置の充電状態を検出する検出装置を備え、
充電電源（１０１）の電気エネルギーを充電制御装置（１０２）へ送り、充電制御装置（１０２）により電磁アクチュエータ導電装置（１１０）への送りを制御し、電磁アクチュエータ導電装置（１１０）の中に設けられている導電装置（１１２）により支持される充放電可能装置（１０４）を充電し、
充電制御装置（１０２）は、電気機械または固体電子素子により構成され、またはマイクロプロセッサ及び必要なソフトウェアにより構成され、充電電源（１０１）の入力を受け充放電可能装置（１０４）の充電電圧及び充電電流の出力を制御するとともに、充放電可能装置（１０４）の充電状態検出装置（１０７）からの信号を受け通電励磁巻線（１０３）に対する電源を送るタイミングを制御し、独立回路装置または電源（１０１）と一体に構成可能であり、
通電励磁巻線（１０３）は、入力電気エネルギーを磁気エネルギーに転換する素子または装置により構成され、電磁アクチュエータ導電装置（１１０）を設置し、または電磁アクチュエータ導電装置（１１０）と互いに作用する位置に設置可能であり、充電状態検出装置（１０７）に直接制御され、または充電制御装置（１０２）に制御され、通電励磁状態または断電時に磁気駆動部（１１１）を変位させ、これにより、電磁アクチュエータ導電装置（１１０）の導電装置（１１２）が充放電可能装置（１０４）に対する支持を解除し、充放電可能装置（１０４）の離脱部（１０６０）を通して充放電可能装置（１０４）が離脱し、
充放電可能装置（１０４）の離脱部（１０６０）は、重力変位の構成空間により構成されることを含み、または磁力、流力、機械力、ばね等のプレストレッシング装置により構成され、または電磁駆動変位部により構成され、重力及び／またはばねの圧力を通して、及び／または電磁駆動変位部の推力等の上述した作用力のうち、少なくとも１つにより、充放電可能装置（１０４）の少なくとも１つの電極端が導電装置（１１２）から離脱し、充電を停止し、
充放電可能装置（１０４）と電磁アクチュエータ導電装置（１１０）の導電装置（１１２）の二者の相対位置関係及び作動機能は、充放電可能装置（１０４）を入れ込むと、充放電可能装置（１０４）は導電装置（１１２）により支持され、かつ同じ極性の導電状態により、伝送される充電電気エネルギーを受け、
充電状態検出装置（１０７）は少なくとも一個を、
（１）充放電可能装置（１０４）、
（２）充放電可能装置（１０４）の近く、
（３）充放電可能装置（１０４）の電極端と接続する箇所、
（４）充電制御装置（１０２）の充電電源出力端と接続し、充電状態の検出信号、特に満充電の検出信号を伝送する箇所、
のうち少なくとも１箇所に設置することができ、
充放電可能装置（１０４）の充電状態検出装置（１０７）の構成方式は、
（１）充電中の端電圧検出装置により構成され、端電圧の検出方式により充電状態検出装置（１０７）を構成し、充電制御装置（１０２）の充電電気エネルギーを出力するエネルギーの正負極端に設置し、または充放電可能装置（１０４）の正負電極の両端に設置し、二者とも充放電可能装置（１０４）の充電中の端電圧の信号を検出することができ、上記により充放電可能装置（１０４）の満充電状態を判断する構成方式、
（２）満充電電圧が突然下降する検出回路により構成され、端電圧検出装置を充電状態検出装置（１０７）とし、充放電可能装置（１０４）が満充電になったとき、端電圧が突然下降し、端電圧検出装置は充電制御装置（１０２）の充電電気エネルギーを出力する正負極端に設置することができ、または充放電可能装置（１０４）の正負電極の両端に設置し、二者とも充放電可能装置（１０４）が満充電になったとき、端電圧が突然下降する電気エネルギーの信号を検出することができる構成方式、
（３）充電電流検出回路により構成され、満充電の充電電流が下降するとき、電流値の信号を提供する構成方式、
（４）温度スイッチ装置により構成され、充放電可能装置（１０４）が満充電になり、温度が設定値まで上昇したとき、スイッチ機能が作動する構成方式、
（５）正または負の温度に関連する抵抗係数の素子により構成され、充放電可能装置（１０４）が満充電になり、温度が設定値まで上昇したとき、相対的に抵抗値が変化する構成方式、
（６）内部抵抗測定回路により構成され、充放電可能装置（１０４）が満充電になり、内部抵抗が相対的に変化したとき、相対的に阻抗値の信号を検出する構成方式、
（７）充放電可能装置（１０４）の満充電を検出する方法と装置による構成方式、
のうち少なくとも１つの構成方式を含むことができ、
上述した装置を通して、充放電可能装置（１０４）は、極性にしたがって導電装置（１１２）に入れ込まれ、導電装置（１１２）により支持され、かつ導電装置（１１２）により充電電気エネルギーが入力され、
充放電可能装置（１０４）が満充電になったとき、充放電可能装置（１０４）の充電状態検出装置（１０７）による検出を通して、
（１）充放電可能装置（１０４）が満充電になったとき、満充電検出装置が通電励磁巻線（１０３）に対して直接通電または断電させることにより、磁気駆動部（１１１）を変位させ、更に導電装置（１１２）が充放電可能装置（１０４）に対する支持を解除する制御、
（２）充放電可能装置（１０４）が満充電になったとき、満充電検出装置（１０７）の信号を充電制御装置（１０２）へ送り、通電励磁巻線（１０３）を通電または断電させることにより、磁気駆動部（１１１）を変位させ、更に導電装置（１１２）が充放電可能装置（１０４）に対する支持を解除する制御、
（３）充放電可能装置（１０４）が満充電になったとき、満充電検出装置（１０７）の信号を充電制御装置（１０２）へ送り、充電制御装置（１０２）が充放電可能装置（１０４）に対して細流充電し、時間遅延設定後、充電制御装置（１０２）を駆動し、通電励磁巻線（１０３）を通電または断電させることにより、磁気駆動部（１１１）を変位させ、更に導電装置（１１２）が充放電可能装置（１０４）に対する支持を解除する制御、
（４）充放電可能装置（１０４）が満充電になったとき、満充電検出装置（１０７）の信号を充電制御装置（１０２）へ送り、充電制御装置（１０２）に対して充放電可能装置（１０４）の充電電流を減少させ、更に充電状態検出装置（１０７）が満充電の検出信号を待ち、充電制御装置（１０２）を駆動し、通電励磁巻線（１０３）を通電または断電させることにより、磁気駆動部（１１１）を変位させ、更に導電装置（１１２）が充放電可能装置（１０４）に対する支持を解除し、二段式充電を形成する制御、
（５）充放電可能装置（１０４）が満充電になったとき、充電状態検出装置（１０７）が満充電信号を検出し、数回に分けて段々に充電制御装置（１０２）に対して充放電可能装置（１０４）の充電電流を減少させ、最終回に充電制御装置（１０２）を駆動し、通電励磁巻線（１０３）を通電または断電させることにより、磁気駆動部（１１１）の変位を制御し、更に導電装置（１１２）が充放電可能装置（１０４）に対する支持を解除する制御、
のうち少なくとも１種の制御を行い、
満充電になると充放電可能装置（１０４）を離脱させるとともに充電を停止可能であることを特徴とする充電装置。
【請求項２】
充電装置が満充電になったとき、電磁アクチュエータ導電装置（１１０）の導電装置（１１２）の充放電可能装置（１０４）に対する解除方式は、
（１）電磁アクチュエータ導電装置（１１０）を支持から解除に転換するとき、充放電可能装置（１０４）の少なくとも１つの電極端が、重力を通して、電磁アクチュエータ導電装置（１１０）の導電装置（１１２）から離脱し、充電を停止する方式、
（２）磁力、流力、機械力等の設置されたプレストレッシング装置、例えばばね（１０６）の設置により、充放電可能装置（１０４）に対して、重力方向または反重力方向またはその他方向へ動かすと離脱する機能を含み、ばね（１０６）を設置するとき、ばね（１０６）に放電可能装置（１０４）を入れ込むとき、被加圧圧縮状態であり、充放電可能装置（１０４）が満充電になったとき、電磁アクチュエータ導電装置（１１０）の導電装置（１１２）が充放電可能装置（１０４）を解除するとき、ばね（１０６）の圧縮応力を通して、充放電可能装置（１０４）に協力して、ばね（１０６）の圧縮応力方向に沿って、充放電可能装置（１０４）の少なくとも１つの電極端を押し離し、電磁アクチュエータ導電装置（１１０）の導電装置（１１２）の充電を停止し、その押し離す方向は充放電可能装置（１０４）自身の重力方向に向かって押し離し、または充放電可能装置（１０４）の重力方向と逆方向に向かって押し離し、またはその他方向に向かって押し離す方式、
（３）充放電可能装置（１０４）が満充電になったとき、電磁駆動変位部（１１５）の推力を通して、充放電可能装置（１０４）の少なくとも１つの電極端が離脱する電磁アクチュエータ導電装置（１１０）の導電装置（１１２）を動かし、充放電可能装置（１０４）自身の重力方向に向かって押し離し、または充放電可能装置（１０４）の重力方向と逆方向に向かって押し離し、またはその他方向に向かって押し離す方式、
のうち少なくとも１種の方式を含むことを特徴とする請求項１に記載の充電装置。
【請求項３】
導電装置（１１２）は、充放電可能装置（１０４）の片側に設置される導電部と結合するように設けられ、また別に電磁アクチュエータ導電装置（１１０）に制御される支持部（２２９）を設け、充放電可能装置（１０４）が入れ込まれると充放電可能装置（１０４）を支持することを特徴とする請求項１に記載の充電装置。
【請求項４】
充電制御装置（１０２）は、電気機械または固体電子素子により構成され、またはマイクロプロセッサ及び必要なソフトウェアにより構成され、充電電源（１０１）の入力を受け充放電可能装置（１０４）の充電電圧及び充電電流の出力を制御するとともに、充放電可能装置（１０４）の充電状態検出装置（１０７）からの信号を受け通電励磁巻線（１０３）に対する電源を送るタイミングを制御し、充電制御装置（１０２）は独立回路装置または電源（１０１）と一体に構成することができ、
通電励磁巻線（１０３）は、入力電気エネルギーを磁気エネルギーに転換する素子または装置により構成され、電磁アクチュエータ導電装置（１１０）を設置し、または電磁アクチュエータ導電装置（１１０）と互いに作用する位置に設置可能であり、充電状態検出装置（１０７）に直接制御され、または充電制御装置（１０２）に制御され、
充放電可能装置（１０４）が満充電になったとき、その制御方式は、
（１）満充電検出装置（１０７）を通して、通電励磁巻線（１０３）に対して直接通電または断電させることにより、磁気駆動部（１１１）を変位させ、更に電磁アクチュエータ導電装置（１１０）の導電装置（１１２）が充放電可能装置（１０４）に対する支持を解除する制御方式、
（２）満充電検出装置（１０７）の信号を充電制御装置（１０２）へ送り、通電励磁巻線（１０３）を通電または断電させることにより、磁気駆動部（１１１）を変位させ、更に電磁アクチュエータ導電装置（１１０）の導電装置（１１２）が充放電可能装置（１０４）に対する支持を解除する制御方式、
（３）充電制御装置（１０２）が充放電可能装置（１０４）に対して細流充電し、時間遅延設定後、充電制御装置（１０２）を駆動し、通電励磁巻線（１０３）を通電または断電させることにより、磁気駆動部（１１１）を変位させ、更に電磁アクチュエータ導電装置（１１０）の導電装置（１１２）が充放電可能装置（１０４）に対する支持を解除する制御方式、
（４）満充電検出装置（１０７）の信号を充電制御装置（１０２）へ送り、充電制御装置（１０２）が充放電可能装置（１０４）に対して充電電流を減少させ、更に充電状態検出装置（１０７）満充電の検出信号を待ち、充電制御装置（１０２）を駆動し、通電励磁巻線（１０３）を通電または断電させることにより、磁気駆動部（１１１）を変位させ、更に電磁アクチュエータ導電装置（１１０）の導電装置（１１２）が充放電可能装置（１０４）に対する支持を解除し、二段式充電を形成する制御方式、
（５）充電状態検出装置（１０７）を通して、満充電信号を検出し、数回に分けて段々に充電制御装置（１０２）に対して充放電可能装置（１０４）の充電電流を減少させ、最終回に充電制御装置（１０２）を駆動し、通電励磁巻線（１０３）を通電または断電させることにより、磁気駆動部（１１１）を変位させ、更に電磁アクチュエータ導電装置（１１０）の導電装置（１１２）が充放電可能装置（１０４）に対する支持を解除し、かつ重力及び／またはばね（１０６）の弾力を通して、充放電可能装置（１０４）の少なくとも１つの電極端が、電磁アクチュエータ導電装置（１１０）から離脱し、充電を停止する制御方式、
のうち少なくとも１種を含み、
充放電可能装置（１０４）は、充電可能なアルカリ電池または充放電可能な蓄電池、スパーキャパシタまたはキャパシタにより構成されることを含み、電磁アクチュエータ導電装置（１１０）の導電装置（１１２）に入れ込まれ、支持され及び充電される状態を形成し、充放電可能装置（１０４）と電磁アクチュエータ導電装置（１１０）の相対位置関係は、電磁アクチュエータ導電装置（１１０）が電磁により駆動されたとき、導電装置（１１２）が充放電可能装置（１０４）に対する支持を解除し、かつ重力及び／またはばね（１０６）の弾力を通して、充放電可能装置（１０４）の少なくとも１つの電極端が離脱し、電磁アクチュエータ導電装置（１１０）の充電を停止し、
充電状態検出装置（１０７）は、少なくとも１種の充電状態検出装置により構成され、充放電可能装置（１０４）が満充電状態を検出し、充放電可能装置（１０４）が満充電になったとき、
（１）満充電検出装置（１０７）を通して、通電励磁巻線（１０３）に対して直接通電または断電させることにより、磁気駆動部（１１１）を変位させ、更に電磁アクチュエータ導電装置（１１０）の導電装置（１１２）が充放電可能装置（１０４）に対する支持を解除する方式、
（２）満充電検出装置（１０７）の信号を充電制御装置（１０２）へ送り、通電励磁巻線（１０３）を通電または断電させることにより、磁気駆動部（１１１）を変位させ、更に電磁アクチュエータ導電装置（１１０）の導電装置（１１２）が充放電可能装置（１０４）に対する支持を解除する方式、
（３）充電制御装置（１０２）が充放電可能装置（１０４）に対して細流充電し、時間遅延設定後、充電制御装置（１０２）を駆動し、通電励磁巻線（１０３）を通電または断電させることにより、磁気駆動部（１１１）を変位させ、更に電磁アクチュエータ導電装置（１１０）の導電装置（１１２）が充放電可能装置（１０４）に対する支持を解除する方式、
（４）満充電検出装置（１０７）の信号を充電制御装置（１０２）へ送り、充電制御装置（１２）が充放電可能装置（１０４）に対して充電電流を減少させ、更に充電状態検出装置（１０７）満充電の検出信号を待ち、充電制御装置（１０２）を駆動し、通電励磁巻線（１０３）を通電または断電させることにより、磁気駆動部（１１１）を変位させ、更に電磁アクチュエータ導電装置（１１０）の導電装置（１１２）が充放電可能装置（１０４）に対する支持を解除し、二段式充電を形成する方式、
（５）充電状態検出装置（１０７）を通して、満充電信号を検出し、数回に分けて段々に充電制御装置（１０２）に対して充放電可能装置（１０４）の充電電流を減少させ、最終回に充電制御装置（１０２）を駆動し、通電励磁巻線（１０３）を通電または断電させることにより、磁気駆動部（１１１）を変位させ、更に電磁アクチュエータ導電装置（１１０）の導電装置（１１２）が充放電可能装置（１０４）に対する支持を解除し、かつ重力及び／またはばね（１０６）の弾力を通して、充放電可能装置（１０４）の少なくとも１つの電極端が、電磁アクチュエータ導電装置（１１０）から離脱し、充電を停止する方式、
のうち少なくとも１種の方式により、充放電可能装置（１０４）の解除を通して、充電を中断し、
電磁アクチュエータ導電装置（１１０）が通電励磁されたとき、充放電可能装置（１０４）の少なくとも１つの電極端が、電磁アクチュエータ導電装置（１１０）から離脱し、充電を停止することを特徴とする請求項１に記載の充電装置。
【請求項５】
導電装置（１１２）は、充放電可能装置（１０４）の片側に設置される導電部と結合するように設けられ、また別に電磁アクチュエータ導電装置（１１０）に制御される支持部（２２９）を設け、充放電可能装置（１０４）を入れ込むときに充放電可能装置（１０４）を支持することを特徴とする請求項４に記載の充電装置。
【請求項６】
通電励磁巻線（１０３）は、圧縮応力の開放及び磁気による支持機能により電磁アクチュエータ導電装置（１１０）を駆動し、充放電可能装置（１０４）を入れ込むとき、少なくとも１種の加圧支持力により充放電可能装置（１０４）を支持し、
充電制御装置（１０２）により充放電可能装置（１０４）から出力する充電電流を探知し、
充電制御装置（１０２）により通電励磁巻線（１０３）を励磁し、磁気駆動部（１１１）を吸引することにより、導電装置（１１２）が充放電可能装置（１０４）に対して加圧支持し、導電装置（１１２）を離脱しない状態となり、
更に導電装置（１１２）により充放電可能装置（１０４）に対して加圧支持し、及び充電電気エネルギーを伝送し、充放電可能装置（１０４）が満充電になったとき、充電状態検出装置（１０７）の検出及び直接または充電制御装置（１０２）の通電励磁巻線（１０３）を通過する電流を遮断することにより、導電装置（１１２）が充放電可能装置（１０４）に対して支持力を解除し、これにより、充放電可能装置（１０４）が導電装置（１１２）から離脱し、充電を停止し、
その離脱方式は、重力を通して離脱し、及び／またはばね（１０６）の推力を通して離脱することを含むことを特徴とする請求項１に記載の充電装置。
【請求項７】
導電装置（１１２）は、充放電可能装置（１０４）の片側に設置される導電部と結合するように設けられ、また別に電磁アクチュエータ導電装置（１１０）に制御される支持部（２２９）を設け、充放電可能装置（１０４）が入れ込まれると充放電可能装置（１０４）を支持することを特徴とする請求項６に記載の充電装置。
【請求項８】
電磁アクチュエータ導電装置（１１０）の導電装置（１１２）は、磁気駆動部（１１１）の励磁力により駆動される機能を同時に有するように作られており、
導電装置（１１２）の圧縮応力を利用して充放電可能装置（１０４）を支持するとともに充電し、
満充電になったとき、導電装置（１１２）は、電磁アクチュエータ導電装置（１１０）の通電励磁巻線（１０３）により駆動され、充放電可能装置（１０４）に対する支持を解除して充電を停止することを特徴とする請求項１に記載の充電装置。
【請求項９】
導電装置（１１２）は、充放電可能装置（１０４）の片側に設置される導電部と結合するように設けられ、また別に電磁アクチュエータ導電装置（１１０）に制御される支持部（２２９）を設け、充放電可能装置（１０４）が入れ込まれるときに充放電可能装置（１０４）を支持することを特徴とする請求項８に記載の充電装置。
【請求項１０】
アクチュエータ導電装置（１１０）の導電装置（１１２）は、磁気駆動部（１１１）による磁気駆動機能を同時に有し、
通電励磁巻線（１０３）を通過する励磁電流を通して導電装置（１１２）駆動することにより、充放電可能装置（１０４）を支持し、充電し、
満充電になったとき、通電励磁巻線（１０３）に対する励磁を中断し、導電装置（１１２）が充放電可能装置（１０４）に対する支持を解除し、充電が停止されることを特徴とする請求項１に記載の充電装置。
【請求項１１】
導電装置（１１２）は、充放電可能装置（１０４）の片側に設置される導電部と結合するように設けられ、また別に電磁アクチュエータ導電装置（１１０）に制御される支持部（２２９）を設け、充放電可能装置（１０４）が入れ込まれると充放電可能装置（１０４）を支持することを特徴とする請求項１０に記載の充電装置。
【請求項１２】
充電制御装置（１０２）は、電気機械または固体電子素子により構成され、またはマイクロプロセッサ及びソフトウェアにより構成され、充電電源（１０１）の入力を受け、充放電可能装置（１０４）の充電電圧及び充電電流の出力を制御するとともに充放電可能装置（１０４）からの充電状態検出装置（１０７）の検出信号を受けることにより通電励磁巻線（１０３）に対する電源を送るタイミングを制御し、独立回路装置または電源（１０１）と一体に構成可能であり、
電磁アクチュエータ導電装置（１１０）は、充電制御装置（１０２）に接続される導電装置（１１２）を設け、充放電可能装置（１０４）を入れ込む空間に圧縮応力により押し離す電磁駆動吸引装置（１１４）を設け、
圧縮応力により押し離す電磁駆動吸引装置（１１４）は、通電励磁巻線（１０３）及びばね（１０６）を持ち、電磁力の駆動及びばね力の復帰構成により構成され、通電が中断されるとき、ばね（１０６）の圧縮応力を通して、圧縮応力により押し離す電磁駆動吸引装置１１４の移動構成は、充放電可能装置（１０４）を押し離し導電装置（１１２）の位置にあり、通電励磁巻線（１０３）が通電励磁されるとき、圧縮応力により押し離す電磁駆動吸引装置１１４の移動部品は吸引されて移動することにより、充放電可能装置（１０４）を入れ込む空間である導電装置（１１２）の充電位置を提供し、
充電状態検出装置（１０７）は、少なくとも１種の充電状態検出装置により構成され、充放電可能装置（１０４）の満充電状態を検出し、
充電状態検出装置（１０７）は、少なくとも１種の充電状態検出装置により構成され、充放電可能装置（１０４）の満充電状態を検出し、
充電状態検出装置（１０７）により制御される作動は、
（１）充放電可能装置（１０４）の充電状態検出装置（１０７）は通電励磁巻線（１０３）の通電励磁を直接遮断することができる機能、
（２）充電状態検出装置（１０７）の検出信号を充電制御装置（１０２）へ送り、充電制御装置（１０２）により通電励磁巻線（１０３）の電気エネルギーを遮断する機能、
（３）充電状態検出装置（１０７）の検出信号を充電制御装置（１０２）へ送り、充電制御装置（１０２）が充放電可能装置（１０４）に対して細流充電し、時間遅延設定後、または再び充電状態検出装置（１０７）が満充電の信号を検出したとき、充電制御装置（１０２）により通電励磁巻線（１０３）の電気エネルギーを遮断し、励磁を停止する機能、
のうち少なくとも１種の機能を含み、
上述した充電状態検出装置（１０７）の制御を通して、充電制御装置（１０２）により通電励磁巻線（１０３）の電気エネルギーを遮断したとき、ばね（１０６）の圧縮応力を通して、圧縮応力により押し離す電磁駆動吸引装置（１１４）を動かし、更に充放電可能装置（１０４）を押し離すと、導電装置（１１２）の充電が停止し、
上述した充放電可能装置（１０４）は、充電可能なアルカリ電池または充放電可能な蓄電池、スーパーキャパシタまたはキャパシタにより構成されることを含み、電磁アクチュエータ導電装置（１１０）の導電装置（１１２）に入れ込まれ、支持され及び充電される状態を形成し、
電磁駆動吸引装置（１１４）の通電励磁巻線（１０３）の励磁が中断し、または励磁電流が圧縮応力により押し離す電磁駆動吸引装置（１１４）のばね（１０６）により押し離す臨界電流値まで下がるとき、充放電可能装置（１０４）の少なくとも１つの電極端が、電磁アクチュエータ導電装置（１１０）から離脱し、充電を停止し、
圧縮応力により押し離す電磁駆動吸引装置（１１４）を設置し、充放電可能装置（１０４）が充電しているとき、充電制御装置（１０２）により励磁電流を制御し、通電励磁巻線（１０３）へ流れ、電磁アクチュエータにより変位し、空けた空間に充放電可能装置（１０４）を入れ込み、かつ充放電可能装置（１０４）が満充電になったとき、充電状態検出装置（１０７）により検出され、直接制御または充電制御装置（１０２）を経て制御し、通電励磁巻線（１０３）を通過する励磁電流を断電させ、ばね（１０６）の駆動を通して、圧縮応力により押し離す電磁駆動吸引装置１１４が充放電可能装置（１０４）を押し、導電装置（１１２）から離脱し、充電が中断されることを特徴とする請求項１に記載の充電装置。
【請求項１３】
同期パワースイッチを電磁アクチュエータ導電装置（１１０）と互いに作用する位置に設置し、充放電可能装置（１０４）を入れ込むことにより電磁アクチュエータ導電装置（１１０）が動かされて変形されたとき、同時に同期パワースイッチを押すことにより、充放電可能装置（１０４）に対して、電源を送って充電し、
同期パワースイッチは電気機械式または固体式スイッチ装置により構成されることを含み、
機械式変位のタッチ、光電式操作、圧力式操作、音声オペレーション、静電気操作、磁気感応の制御、電磁誘導性操作、静電容量センサー操作等の方式のうち少なくとも１種の操作方式により、電源のスイッチ機能を操作し、
導電装置（１１２）と同期操作スイッチを構成するリード型接点（１２６）またはリミットスイッチ（１１７）を設置し、
充放電可能装置（１０４）を入れ込むと同時に電源をオンし、充放電可能装置（１０４）が導電装置（１１２）から離脱すると同時に電源をオフすることを特徴とする請求項１に記載の充電装置。
【請求項１４】
導電装置（１１２）は、充放電可能装置（１０４）の片側に設置される導電部と結合するように設けられ、また別に電磁アクチュエータ導電装置（１１０）に制御される支持部（２２９）を設け、充放電可能装置（１０４）が入れ込まれると充放電可能装置（１０４）を支持し、
導電装置（１１２）は、充放電可能装置（１０４）の片側に設置される導電部と結合するように設けられ、また別に電磁アクチュエータ導電装置（１１０）に制御される支持部（２２９）を設け、導電装置（１１２）と同期操作スイッチを構成するリード型接点（１２６）を設置し、充放電可能装置（１０４）が入れ込まれると充放電可能装置（１０４）を支持することを含み、
または、導電装置（１１２）は、充放電可能装置（１０４）の片側に設置される導電部と結合するように設けられ、また別に電磁アクチュエータ導電装置（１１０）に制御される支持部（２２９）を設け、充放電可能装置（１０４）が入れ込まれると充放電可能装置（１０４）を支持することを特徴とする請求項１２に記載の充電装置。
【請求項１５】
充電電源（１０１）は、直流電源または交流を直流に変換する直流充電電源であり、
充電制御装置（１０２）は、充放電可能装置（１０４）に対して、
（１）充電時間を制御する機能、
（２）充電電圧を制御する機能、
（３）充電電流を制御する機能、
のうち少なくとも１種の機能を制御することを含み、
電磁アクチュエータ導電装置（１１０）は、充電制御装置（１０２）に接続される導電装置（１１２）を有し、充放電可能装置（１０４）を入れ込む空間に電磁アクチュエータ（１２４）を設置し、電磁アクチュエータ（１２４）に通電励磁巻線（１０３）、磁路鉄芯（１２７）、磁気駆動部（１１１）、磁路鉄芯（１２７）、導電装置（１１２）、戻しばね（１１６）を設置し、通電励磁巻線（１０３）通電時に、磁気駆動部（１１１）を吸引駆動し、磁気駆動部（１１１）と同一構成である導電装置（１１２）が充放電可能装置（１０４）を支持し、充放電可能装置（１０４）に対して充電し、通電励磁巻線（１０３）の電流が小さくなるかまたは中断するとき、戻しばね（１１６）の圧縮応力を通して、磁気駆動部（１１１）を戻させ、導電装置（１１２）が充放電可能装置（１０４）に対する支持を解除し、
並列分流回路装置（１２０）は、電気機械式または電子回路素子または固体パワー素子により構成され、通電励磁巻線（１０３）の両端に並列に接続し、通電励磁巻線（１０３）を通過する電流値を制御し、更に電磁アクチュエータ導電装置（１１０）の離脱タイミングを制御し、用いられる充電電流の全てが電磁アクチュエータ導電装置（１１０）に対する励磁電流であるとき、並列分流回路装置（１２０）を設置しなくもよく、
充電電源（１０１）の電気エネルギーは、直接または充電制御装置（１０２）を経て通電励磁巻線（１０３）を通過することができ、通電励磁巻線（１０３）を通過する充電電流の全部または一部の充電電流は導電装置（１１２）を経て充放電可能装置（１０４）を通過し、充放電可能装置（１０４）を充電し、
充電電流を通電励磁巻線（１０３）に通過させるために充放電可能装置（１０４）が入れ込まれると、電磁アクチュエータ（１２４）は、磁気により、電磁アクチュエータ導電装置（１１０）の磁気駆動部（１１１）及びと磁気駆動部（１１１）と同一構成である導電装置（１１２）に吸引され、充放電可能装置（１０４）に対して支持力及び導電機能を生じ、
充電後、充放電可能装置（１０４）の電圧が段々上昇し、充電電流が小さくなり、更に通電励磁巻線（１０３）へ流れる電流が小さくなったとき、または充電制御装置（１０２）の制御を通して通電励磁巻線（１０３）へ流れる電流が中断されるとき、電磁アクチュエータ（１２４）の着磁が中断され、また戻しばね（１１６）の圧縮応力を通して、磁気駆動部（１１１）及びと磁気駆動部（１１１）と同一構成である導電装置（１１２）が充放電可能装置（１０４）に対する支持を解除し、
通電励磁巻線（１０３）を通過する充電電流を通して電磁アクチュエータ導電装置（１１０）の中の磁路鉄芯（１２７）を駆動し、導電装置（１１２）を伝動することにより充放電可能装置（１０４）を支持固定するとともに充電し、満充電充電電流が中断または減少するとき、電磁アクチュエータ導電装置（１１０）及び導電装置（１１２）の充放電可能装置（１０４）に対する支持が解除され、充放電可能装置（１０４）が導電装置（１１２）から離脱し、充電が中断されることを特徴とする充電装置。
【請求項１６】
充放電可能装置（１０４）が入れ込まれる導電装置（１１２）の空間にばね（１０６）を設け、
通電励磁巻線（１０３）を経過する電流が小さくなり解除の臨界値に達し、または中断されるとき、磁気駆動部（１１１）及び磁気駆動部（１１１）と同一構成である導電装置（１１２）が充放電可能装置（１０４）に対する支持を解除すると、ばね（１０６）を通して、充放電可能装置（１０４）が押し離されて導電装置（１１２）から離脱することを特徴とする請求項１５に記載の充電装置。
【請求項１７】
導電装置（１１２）の正負電極間のピッチ状態を採用し、当該ピッチは充電を開始する前は充放電可能装置（１０４）の電極ピッチより大きく、
充放電可能装置（１０４）が入れ込まれた後は、外力により駆動される起動構成を通して、導電装置（１１２）の正負電極が近付くように押され、充放電可能装置（１０４）の正負電極と接触し、
充放電可能装置（１０４）は、充電電源により正負電極としての二つの導電装置（１１２）を経て充電され、その充電電流が同時に通電励磁巻線（１０３）を通電励磁させて磁気駆動部（１１１）を吸引し、
磁気駆動部（１１１）と同一に構成される導電装置（１１２）は、継続して、充放電可能装置（１０４）を支持しするとともに充放電可能装置（１０４）を充電し、
充電電源（１０１）は、直流電源または交流を直流に変換する直流充電電源であり、
充電制御装置（１０２）は、充放電可能装置（１０４）に対して、
（１）充電時間を制御する機能、
（２）充電電圧を制御する機能、
（３）充電電流を制御する機能、
のうち少なくとも１種の機能を制御することを含み、
電磁アクチュエータ導電装置（１１０）は、充電制御装置（１０２）に接続される導電装置（１１２）を有し、導電装置（１１２）と磁気駆動部（１１１）は同一に構成され、正負電極の導電装置（１１２）のピッチは充放電可能装置（１０４）の電極ピッチより大きく、
位置決めリング部（１０５）が充放電可能装置（１０４）に入れ込まれた後、外力が押圧式起動構成（２３１）を駆動し、導電装置（１１２）の正負電極が近付くように押され、充放電可能装置（１０４）の正負電極と接触し、充電電源が正負電極の両導電装置（１１２）を経て充放電可能装置（１０４）に対して電力を供給し、同時に通電励磁巻線（１０３）が通電励磁され、電磁アクチュエータ（１２４）を作用させて磁気駆動部（１１１）を吸引し、磁気駆動部（１１１）と同一構成である導電装置（１１２）が力を受けて継続して充放電可能装置（１０４）を支持するとともに充放電可能装置（１０４）に対して充電し、
通電励磁巻線（１０３）の電流が小さくなり解除の臨界値に達し、または中断されるとき、戻しばね（１１６）の磁気駆動部（１１１）及び磁気駆動部（１１１）と同一構成である導電装置（１１２）は、充放電可能装置（１０４）に対する支持を解除し、充電を中断することを特徴とする請求項１５に記載の充電装置。
【請求項１８】
導電装置と支持部を異なる位置の分離構成に設置し、また導電装置（１１２）及び支持部（２２９）に分かれたとき、その中の充電電気エネルギーを伝送する導電装置（１１２）を充放電可能装置（１０４）を入れ込む方向に向かって設置し、
支持部（２２９）は同じ構成ではあるが、支持のみの機能を持ち、
充放電可能装置（１０４）の側辺を支持し、充放電可能装置（１０４）を入れ込むことにより、充電電源が充放電可能装置（１０４）に対して電力を供給し、更に通電励磁巻線（１０３）を通電励磁させ、また電磁アクチュエータ（１２４）により充放電可能装置（１０４）を支持固定し、
通電励磁巻線（１０３）の電流が小さくなりまたは中断するとき、戻しばね（１１６）の圧縮応力を通して、磁気駆動部（１１１）及びと磁気駆動部（１１１）と同一構成である導電装置（１１２）が充放電可能装置（１０４）に対する支持を解除することを特徴とする請求項１５に記載の充電装置。
【請求項１９】
導電装置（１１２）は、充放電可能装置（１０４）の片側に設置される導電部と結合するように設けられ、また別に電磁アクチュエータ導電装置（１１０）に制御される支持部（２２９）を設け、充放電可能装置（１０４）が入れ込まれると充放電可能装置（１０４）を支持することを特徴とする請求項１６に記載の充電装置。
【請求項２０】
導電装置（１１２）は、充放電可能装置（１０４）の片側に設置する導電部と結合し、導電装置（１１２）と充放電可能装置（１０４）の間にプレストレストリード（１０８）を設置し、
プレストレストリード（１０８）は圧縮応力による弾性構成を有し、その圧縮応力は、正常状態において充放電可能装置（１０４）を押し離させまた充電を中断する方向であり、支持部（２２９）の支持力より小さく、充放電可能装置（１０４）の重量より大きく、
プレストレストリード（１０８）は、導電装置（１１２）の正電極及び負電極の電気エネルギーを充放電可能装置（１０４）の正電極及び負電極へ伝送する中継導電部（１０８１）を有し、
プレストレストリード（１０８）は、絶縁材料により製造される場合、中継導電部（１０８１）を直接その上に設置可能であり、
プレストレストリード（１０８）は、導電材料により製造される場合は、中継導電部（１０８１）とプレストレストリード（１０８）の間に別に絶縁体を加える必要があり、
充放電可能装置（１０４）が入れ込まれると、押圧式起動構成（２３１）に対する操作を通して、電磁アクチュエータ導電装置（１１０）に制御される支持部（２２９）が充放電可能装置（１０４）を支持し、プレストレストリード（１０８）を作動させ、
導電装置（１１２）の電気エネルギーは、充電のため、プレストレストリード（１０８）に設置する中継導電部（１０８１）を経て、充放電可能装置（１０４）まで伝送され、支持部（２２９）を通電励磁巻線（１０３）の通電励磁が持続して充放電可能装置（１０４）を支持し、
満充電になったとき、支持部（２２９）が離脱し、充放電可能装置（１０４）に対する支持を解除し、プレストレストリード（１０８）の圧縮応力を用いることにより、充放電可能装置（１０４）は導電装置（１１２）との連結から弾き離れ、充電が中断されることを特徴とする請求項１７に記載の充電装置。
【請求項２１】
電磁アクチュエータ導電装置（１１０）に電磁駆動変位部（１１５）を設置可能であり、
電磁駆動変位部（１１５）は、充放電可能装置（１０４）から電磁アクチュエータ導電装置（１１０）を押し離す位置に設置され、
充放電可能装置（１０４）が満充電になったとき、通電励磁巻線（１０３）を通して電磁駆動変位部（１１５）を駆動し、充放電可能装置（１０４）により電磁アクチュエータ導電装置（１１０）を押し離し、
充放電可能装置（１０４）が電磁アクチュエータ導電装置（１１０）に入れ込まれると、導電装置（１１２）に支持と充電され、
充放電可能装置（１０４）が満充電になったとき、充放電可能装置（１０４）の充電状態を充電状態検出装置（１０７）が検出し、
（１）満充電検出装置（１０７）を通して、通電励磁巻線（１０３）に対して直接通電または断電させることにより、磁気駆動部（１１１）を変位させると同時に、電磁駆動変位部（１１５）を駆動し、充放電可能装置（１０４）を押し離し、更に電磁アクチュエータ導電装置（１１０）の導電装置（１１２）が充放電可能装置（１０４）に対する支持を解除する作動、
（２）満充電検出装置（１０７）の信号を充電制御装置（１０２）へ送り、通電励磁巻線（１０３）を通電または断電させることにより、磁気駆動部（１１１）を変位させると同時に、電磁駆動変位部（１１５）を駆動し、充放電可能装置（１０４）を押し離し、更に電磁アクチュエータ導電装置（１１０）の導電装置（１１２）が充放電可能装置（１０４）に対する支持を解除する作動、
（３）充電制御装置（１０２）が充放電可能装置（１０４）に対して細流充電し、時間遅延設定後、充電制御装置（１０２）を駆動し、通電励磁巻線（１０３）を通電または断電させることにより、磁気駆動部（１１１）を変位させると同時に、電磁駆動変位部（１１５）を駆動し、充放電可能装置（１０４）を押し離し、更に電磁アクチュエータ導電装置（１１０）の導電装置（１１２）が充放電可能装置（１０４）に対する支持を解除する作動、
（４）満充電検出装置（１０７）の信号を充電制御装置（１０２）へ送り、充電制御装置（１０２）が充放電可能装置（１０４）に対して充電電流を減少させ、更に充電状態検出装置（１０７）満充電の検出信号を待ち、充電制御装置（１０２）を駆動し、通電励磁巻線（１０３）を通電または断電させることにより、磁気駆動部（１１１）を変位させると同時に、電磁駆動変位部（１１５）を駆動し、充放電可能装置（１０４）を押し離し、更に電磁アクチュエータ導電装置（１１０）の導電装置（１１２）が充放電可能装置（１０４）に対する支持を解除し、二段式充電を形成する作動、
（５）充電状態検出装置（１０７）を通して、満充電信号を検出し、数回に分けて段々に充電制御装置（１０２）に対して充放電可能装置（１０４）の充電電流を減少させ、最終回に充電制御装置（１０２）を駆動し、通電励磁巻線（１０３）を通電励磁させ、磁気駆動部（１１１）を変位させることにより、導電装置（１１２）を押し離し、及び通電励磁巻線（１０３）が通電励磁されると同時に、電磁駆動変位部（１１５）を駆動し、充放電可能装置（１０４）を押し離し、充放電可能装置（１０４）の少なくとも１つの電極端が導電装置（１１２）から離脱し、充電を中断する作動、
のうち少なくとも１種の作動機能を行うことを特徴とする請求項１に記載の充電装置。
【請求項２２】
同期パワースイッチ機能を設置可能で、
同期パワースイッチを電磁アクチュエータ導電装置（１１０）と互いに作用する位置に設置し、
充放電可能装置（１０４）が入れ込まれて電磁アクチュエータ導電装置（１１０）が動かされ変形されたと同時に同期パワースイッチを押すことにより、充放電可能装置（１０４）に対して電力を供給し充電し、
同期パワースイッチは、電気機械式または固体式スイッチ装置により構成され、
機械式変位のタッチ、光電式操作、圧力式操作、音声オペレーション、静電気操作、磁気感応の制御、電磁誘導性操作、静電容量センサー操作等の方式のうち少なくとも１種の操作方式により、電源スイッチ機能を操作し、
導電装置（１１２）と同期操作スイッチの導電接点を構成するリード型接点（１２６）またはリミットスイッチ（１１７）を設置し、その設置位置は、充放電可能装置（１０４）を入れ込むとき、充放電可能装置（１０４）を入れ込むことを通して、または電磁アクチュエータ導電装置（１１０）のリードが変位することにより、充電電源をオフからオンに切り替えることを示すことを特徴とする請求項２１に記載の充電装置。
【発明の詳細な説明】
【技術分野】
【０００１】
本発明は、充電装置に関する。
【背景技術】
【０００２】
従来、充放電可能装置は、充電装置の中に入れ込まれ、満充電になった後もそのままの状態で放置されている。
【発明の概要】
【発明が解決しようとする課題】
【０００３】
上述のように、充電装置の中に入れ込まれた充放電可能装置が満充電になった後もそのままの状態で長く放置されると、充放電可能装置は過充電となる虞がある。
本発明の目的は、満充電になった後に充放電可能装置の過充電を抑制可能な充電装置を提供することにある。
【課題を解決するための手段】
【０００４】
本発明の充電装置は、充電電源、充電制御装置、電磁アクチュエータ導電装置、通電励磁巻線、充放電可能装置、及び必要に応じて各種の充放電可能装置の充電状態を検出する検出装置を備える。
充放電可能装置（１０４）は、極性にしたがって充電装置の中の電磁アクチュエータ導電装置（１１０）に入れ込まれる。充放電可能装置（１０４）は、電磁アクチュエータ導電装置（１１０）の導電装置（１１２）により支持されるとともに充電電気エネルギーが入力される。
【０００５】
充放電可能装置（１０４）が満充電になったとき、本発明の充電装置は、次の（１）から（５）までのうち少なくとも１種の制御を行う。
（１）満充電検出装置を通して、通電励磁巻線（１０３）に対して直接通電または断電を制御し、磁気駆動部（１１１）を変位させ、更に電磁アクチュエータ導電装置（１１０）の導電装置（１１２）が充放電可能装置（１０４）に対する支持を解除する制御。
【０００６】
（２）満充電検出装置（１０７）の信号を充電制御装置（１０２）へ送り、通電励磁巻線（１０３）を通電または断電させることにより、磁気駆動部（１１１）を変位させ、更に電磁アクチュエータ導電装置（１１０）の導電装置（１１２）が充放電可能装置（１０４）に対する支持を解除する制御。
【０００７】
（３）充電制御装置（１０２）が充放電可能装置（１０４）に対して細流充電し、時間遅延設定後、充電制御装置（１０２）を駆動し、通電励磁巻線（１０３）を通電または断電させることにより、磁気駆動部（１１１）を変位させ、更に電磁アクチュエータ導電装置（１１０）の導電装置（１１２）が充放電可能装置（１０４）に対する支持を解除する制御。
【０００８】
（４）満充電検出装置（１０７）の信号を充電制御装置（１０２）へ送り、充電制御装置（１０２）が充放電可能装置（１０４）に対して充電電流を減少させ、更に充電状態検出装置（１０７）満充電の検出信号を待ち、充電制御装置（１０２）を駆動し、通電励磁巻線（１０３）を通電または断電させることにより、磁気駆動部（１１１）を変位させ、更に電磁アクチュエータ導電装置（１１０）の導電装置（１１２）が充放電可能装置（１０４）に対する支持を解除し、二段式充電を形成する制御。
【０００９】
（５）充電状態検出装置（１０７）を通して、満充電信号を検出し、数回に分けて段々に充電制御装置（１０２）に対して充放電可能装置（１０４）の充電電流を減少させ、最終回に充電制御装置（１０２）を駆動し、通電励磁巻線（１０３）を通電または断電させることにより、磁気駆動部（１１１）を変位させ、更に電磁アクチュエータ導電装置（１１０）の導電装置（１１２）が充放電可能装置（１０４）に対する支持を解除し、かつ重力及び／または磁力、流力、機械力等の設置されたプレストレッシング装置を通して、例えば、ばねを設置し、かつばねの弾力または電磁を駆動し、変位する構成するである電磁駆動変位部（１１５）の推力等のプレストレッシング装置の中の少なくとも１つの駆動を通して、充放電可能装置（１０４）の少なくとも１つの電極端が、電磁アクチュエータ導電装置（１１０）から離脱し、充電を停止する制御。
【００１０】
このように、本発明の充電装置は、１種の充放電可能装置を電磁アクチュエータ導電装置に入れ込み、満充電になったとき、電磁アクチュエータ導電装置の充放電可能装置の解除を制御する。
これにより、本発明の充電装置は、満充電になると充放電可能装置（１０４）を離脱させるとともに充電を停止させる。結果通して、本発明の充電装置では、充放電可能装置（１０４）の過充電を抑制することができる。
【図面の簡単な説明】
【００１１】
【図１】本発明の第１実施形態の主要構成を示す説明図。
【図２】導電部が片側に設置された充放電可能装置（１０４）へ図１の実施形態を応用した本発明の第２実施形態の説明図。
【図３】電磁アクチュエータ導電装置（１１０）が通電励磁されたとき、充放電可能装置（１０４）の少なくとも１つの電極端が、電磁アクチュエータ導電装置（１１０）から離脱し、充電を停止する、本発明の第３実施形態の説明図。
【図４】図３の実施形態を片側に導電部を設置する充放電可能装置（１０４）へ応用した本発明の第４実施形態の説明図。
【図５】通電励磁巻線（１０３）により電磁アクチュエータ導電装置（１１０）を駆動し、圧縮応力及び磁気支持機能を解除する本発明の第５実施形態の説明図。
【図６】図５の実施形態を片側に導電部を設置する充放電可能装置（１０４）へ応用した本発明の第６実施形態の説明図。
【図７】通電励磁巻線（１０３）が満充電になったとき、通電により電磁アクチュエータ導電装置（１１０）を駆動すると同時に、磁気駆動部（１１１）の磁気駆動機能の導電装置（１１２）を持ち、充放電可能装置（１０４）を解除し、充電を停止する本発明の第７実施形態の説明図。
【図８】図７の実施形態を片側に導電部を設置する充放電可能装置（１０４）へ応用した本発明の第８実施形態の説明図。
【図９】通電励磁巻線（１０３）が電磁アクチュエータ導電装置（１１０）を駆動すると同時に、導電装置（１１２）は磁気駆動部（１１１）の磁気駆動機能を持ち、充放電可能装置（１０４）を支持して充電し、満充電になったとき、通電励磁巻線（１０３）に対する励磁を停止し、導電装置（１１２）が充放電可能装置（１０４）を解除し、更に充電を停止する本発明の第９実施形態の説明図。
【図１０】図９の実施形態を片側に導電部を設置する充放電可能装置（１０４）へ応用した本発明の第１０実施形態の説明図。
【図１１】通電励磁巻線（１０３）がプレストレッシングを駆動し、電磁駆動吸引装置１１４を押し離す本発明の第１１実施形態の説明図。
【図１２】図１１にリード型接点（１２６）を設け、同期パワースイッチとする応用を示す本発明の第１２実施形態の説明図。
【図１３】図１１の実施形態において、リミットスイッチ（１１７）を設け、同期パワースイッチとする、本発明の第１３実施形態の説明図。
【図１４】図１１の実施形態を片側に導電部を設置する充放電可能装置（１０４）へ応用した本発明の第１４実施形態の説明図。
【図１５】図１２の実施形態を片側に導電部を設置する充放電可能装置（１０４）へ応用した本発明の第１５実施形態の説明図。
【図１６】図１３の実施形態の中で、リミットスイッチ（１１７）を設け、同期パワースイッチとする本発明の第１６実施形態の説明図。
【図１７】通電励磁巻線（１０３）を通過する充電電流により、圧縮応力を解除し、及び磁気支持機能の電磁アクチュエータ導電装置（１１０）を駆動する本発明の第１７実施形態の説明図。
【図１８】図１７の電磁アクチュエータ導電装置（１１０）の中にばね（１０６）を設置する本発明の第１８実施形態の説明図。
【図１９】押圧式起動構成（２３１）を設置することにより、充電機能を起動する本発明の第１９実施形態の説明図。
【図２０】図１７の実施形態を片側に導電部を設置する充放電可能装置（１０４）へ応用した本発明の第２０実施形態の説明図。
【図２１】図１７の実施形態を導電部を片側に設置する充放電可能装置（１０４）へ応用した本発明の第２１実施形態の説明図。
【図２２】図１８の実施形態を導電部を片側に設置する充放電可能装置（１０４）へ応用した本発明の第２２実施形態の説明図。
【図２３】図２２の実施形態の充放電可能装置（１０４）とプレストレストリード（１０８）と導電装置（１１２）が接続していない状態の本発明の第２３実施形態の説明図。
【図２４】図２２の充放電可能装置（１０４）とプレストレストリード（１０８）と導電装置（１１２）が接続している状態の本発明の第２４実施形態の説明図。
【図２５】通電励磁巻線（１０３）を設け、電磁アクチュエータ導電装置（１１０）を駆動する本発明の第２５実施形態の説明図。
【図２６】図２５の実施形態のリード型接点（１２６）を同期パワースイッチとする本発明の第２６実施形態の説明図。
【図２７】図２５の実施形態のリミットスイッチ（１１７）を同期パワースイッチとする本発明の第２７実施形態の説明図。
【図２８】図２５の実施形態を導電部を片側に設置する充放電可能装置（１０４）へ応用した本発明の第２８実施形態の説明図。
【図２９】図２６の実施形態を導電部を片側に設置する充放電可能装置（１０４）へ応用した本発明の第２９実施形態の説明図。
【図３０】図２７の実施形態を導電部を片側に設置する充放電可能装置（１０４）へ応用した本発明の第３０実施形態の説明図。
【発明を実施するための形態】
【００１２】
以下、本発明の実施形態を図面に基づいて説明する。
本発明の充電装置は、充電電源、充電制御装置、電磁アクチュエータ導電装置、通電励磁巻線、充放電可能装置、及びニーズによって各種の充放電可能装置の充電状態を検出する検出装置を選択して備える。これにより、満充電になると充放電可能装置を離脱させるとともに充電を停止可能な充電装置を構成する。
【００１３】
（第１実施形態）
図１は本発明の第１実施形態の主要構成を示す。
図１の充電装置は、充電電源１０１の電気エネルギーを、充電制御装置１０２へ送り、更に充電制御装置１０２の制御を経て電磁アクチュエータ導電装置１１０へ送り、電磁アクチュエータ導電装置１１０の中に設けられている導電装置１１２により支持される充放電可能装置１０４に対して充電する。その構成は下記の通りである。
【００１４】
充電制御装置１０２は、電気機械または固体電子素子により構成され、またはマイクロプロセッサ及び必要なソフトウェアにより構成される。また、充電電源１０１の入力を受け、充放電可能装置１０４の充電電圧と充電電流の出力及び制御をし、かつ充放電可能装置１０４の充電状態検出装置１０７からの信号を受け、通電励磁巻線１０３に対する電源を送るタイミングを制御する。
本形態の充電制御装置１０２は、独立回路装置または電源１０１と一体に構成することができる。
【００１５】
通電励磁巻線１０３は、入力電気エネルギーを磁気エネルギーに転換する素子または装置により構成される。また、電磁アクチュエータ導電装置１１０を設置し、または電磁アクチュエータ導電装置１１０と互いに作用する位置に設置することができる。
通電励磁巻線１０３は充電状態検出装置１０７に直接制御され、または充電制御装置１０２に制御され、通電励磁状態または断電時に磁気駆動部１１１を変位させる。
これにより、電磁アクチュエータ導電装置１１０の導電装置１１２が充放電可能装置１０４に対する支持を解除し、更に充放電可能装置１０４の離脱部１０６０を通して、充放電可能装置１０４が離脱する。
【００１６】
充放電可能装置１０４の離脱部１０６０は、重力変位の構成空間により構成される。または、磁力、流力、機械力、ばね等のプレストレッシング装置により構成され、または電磁駆動変位による構成である電磁駆動変位部により構成される。
これにより、重力及び／またはばねの圧力を通して、及び／または電磁駆動変位部の推力等の上述した作用力のうち、少なくとも１つにより、充放電可能装置１０４の少なくとも１つの電極端が導電装置１１２から離脱し、充電が停止される。
【００１７】
充放電可能装置１０４と電磁アクチュエータ導電装置１１０の導電装置１１２の二者の相対位置関係及び作動機能は、次の通りである。つまり、充放電可能装置１０４を入れ込むと、充放電可能装置１０４は導電装置１１２により支持され、かつ同じ極性の導電状態により、伝送される充電電気エネルギーを受ける。
【００１８】
充電状態検出装置１０７は、少なくとも１個を、以下の少なくとも１箇所に設置することができる。
（１）充放電可能装置１０４。
（２）充放電可能装置１０４の近く。
（３）充放電可能装置１０４の電極端と接続する箇所。
（４）充電制御装置１０２の充電電源出力端と接続し、充電状態の検出信号、特に満充電の検出信号を伝送する箇所。
【００１９】
充放電可能装置１０４の充電状態検出装置１０７の構成方式について、例を下記に挙げる。充電状態検出装置１０７の構成方式は、下記の（１）から（７）までのうち少なくとも１つの構成方式を含む。ただし、これに限定されるわけではない。
【００２０】
（１）充電中の端電圧検出装置により構成され、端電圧の検出方式により充電状態検出装置１０７を構成し、充電制御装置１０２の充電電気エネルギーを出力するエネルギーの正負極端に設置し、または充放電可能装置１０４の正負電極の両端に設置し、二者とも充放電可能装置１０４の充電中の端電圧の信号を検出することができ、上記により充放電可能装置１０４の満充電状態を判断する構成方式。
【００２１】
（２）満充電電圧が突然下降する検出回路により構成され、端電圧検出装置を充電状態検出装置１０７とし、充放電可能装置１０４が満充電になったとき、端電圧が突然下降し、端電圧検出装置は充電制御装置１０２の充電電気エネルギーを出力する正負極端に設置することができ、または充放電可能装置１０４の正負電極の両端に設置し、二者とも充放電可能装置１０４が満充電になったとき、端電圧が突然下降する電気エネルギーの信号を検出することができる構成方式。
【００２２】
（３）充電電流検出回路により構成され、満充電の充電電流が下降するとき、電流値の信号を提供する構成方式。
（４）温度スイッチ装置により構成され、充放電可能装置１０４が満充電になり、温度が設定値まで上昇したとき、スイッチ機能が作動する構成方式。
（５）正または負の温度に関連する抵抗係数の素子により構成され、充放電可能装置１０４が満充電になり、温度が設定値まで上昇したとき、相対的に抵抗値が変化する構成方式。
【００２３】
（６）内部抵抗測定回路により構成され、充放電可能装置１０４が満充電になり、内部抵抗が相対的に変化したとき、相対的に阻抗値の信号を検出する構成方式。
（７）その他よく用いる充放電可能装置１０４の満充電を検出する方法と装置による構成方式。
上述した装置を通して、充放電可能装置１０４を極性にしたがって導電装置１１２に入れ込むとき、充放電可能装置１０４は、導電装置１１２により支持され、かつ導電装置１１２により充電電気エネルギーが入力される。
【００２４】
充放電可能装置１０４が満充電になったとき、充放電可能装置１０４の充電状態検出装置１０７による検出を通して、下記のうち少なくとも１種の制御が行われる。
（１）充放電可能装置１０４が満充電になったとき、満充電検出装置が通電励磁巻線１０３に対して直接通電または断電させることにより、磁気駆動部１１１を変位させ、更に導電装置１１２が充放電可能装置１０４に対する支持を解除する制御。
（２）充放電可能装置１０４が満充電になったとき、満充電検出装置１０７の信号を充電制御装置１０２へ送り、通電励磁巻線１０３を通電または断電させることにより、磁気駆動部１１１を変位させ、更に導電装置１１２が充放電可能装置１０４に対する支持を解除する制御。
【００２５】
（３）充放電可能装置１０４が満充電になったとき、満充電検出装置１０７の信号を充電制御装置１０２へ送り、充電制御装置１０２が充放電可能装置１０４に対して細流充電し、時間遅延設定後、充電制御装置１０２を駆動し、通電励磁巻線１０３を通電または断電させることにより、磁気駆動部１１１を変位させ、更に導電装置１１２が充放電可能装置１０４に対する支持を解除する制御。
【００２６】
（４）充放電可能装置１０４が満充電になったとき、満充電検出装置１０７の信号を充電制御装置１０２へ送り、充電制御装置１０２に対して充放電可能装置１０４の充電電流を減少させ、更に充電状態検出装置１０７が満充電の検出信号を待ち、充電制御装置１０２を駆動し、通電励磁巻線１０３を通電または断電させることにより、磁気駆動部１１１を変位させ、更に導電装置１１２が充放電可能装置１０４に対する支持を解除し、二段式充電を形成する制御。
【００２７】
（５）充放電可能装置１０４が満充電になったとき、充電状態検出装置１０７が満充電信号を検出し、数回に分けて段々に充電制御装置１０２に対して充放電可能装置１０４の充電電流を減少させ、最終回に充電制御装置１０２を駆動し、通電励磁巻線１０３を通電または断電させることにより、磁気駆動部１１１の変位を制御し、更に導電装置１１２が充放電可能装置１０４に対する支持を解除する制御。
【００２８】
本形態の充電装置が満充電になったとき、電磁アクチュエータ導電装置１１０の導電装置１１２による充放電可能装置１０４に対する解除方式は、異なる構成によって解除方式が異なり、下記のうち少なくとも１種の方式を含む。
（１）電磁アクチュエータ導電装置１１０を支持から解除に転換するとき、充放電可能装置１０４の少なくとも１つの電極端が、重力を通して、電磁アクチュエータ導電装置１１０の導電装置１１２から離脱し、充電を停止する方式。
【００２９】
（２）磁力、流力、機械力等の設置されたプレストレッシング装置、例えばばね１０６の設置により、充放電可能装置１０４に対して、重力方向または反重力方向またはその他方向へ動かすと離脱する機能を含む方式。
ここで、ばね１０６を設置するとき、ばね１０６に放電可能装置１０４を入れ込むとき、被加圧プレストレスト状態（被加圧圧縮応力状態）であり、充放電可能装置１０４が満充電になったとき、電磁アクチュエータ導電装置１１０の導電装置１１２が充放電可能装置１０４を解除するとき、ばね１０６のプレストレスト（以下、圧縮応力という）を通して、充放電可能装置１０４に協力して、ばね１０６のプレストレスト方向（圧縮応力方向）に沿って、充放電可能装置１０４の少なくとも１つの電極端を押し離し、電磁アクチュエータ導電装置１１０の導電装置１１２の充電を停止する。
また、その押し離す方向については、充放電可能装置１０４自身の重力方向に向かって押し離し、または充放電可能装置１０４の重力方向と逆方向に向かって押し離し、またはその他方向に向かって押し離すことを含む。
【００３０】
（３）充放電可能装置１０４が満充電になったとき、電磁駆動変位部１１５の推力を通して、充放電可能装置１０４の少なくとも１つの電極端を動かし、電磁アクチュエータ導電装置１１０の導電装置１１２から離脱する方式。上記は充放電可能装置１０４自身の重力方向に向かって押し離し、または充放電可能装置１０４の重力方向と逆方向に向かって押し離し、またはその他方向に向かって押し離すことを含む。
【００３１】
（第２実施形態）
図２は、導電部が片側に設置されている充放電可能装置１０４へ図１の実施形態を応用した本発明の第２実施形態を示す図である。
図２の導電装置１１２は、充放電可能装置１０４の片側に設置される導電部と結合する。また別に、電磁アクチュエータ導電装置１１０に制御される支持部２２９を設け、支持部２２９は、充放電可能装置１０４を入れ込むと、充放電可能装置１０４を支持する。他の構成と作動は図１の実施形態と同じである。
【００３２】
（第３実施形態）
図３は、電磁アクチュエータ導電装置１１０が通電励磁されたとき、充放電可能装置１０４の少なくとも１つの電極端が、電磁アクチュエータ導電装置１１０から離脱し、充電を停止する、本発明の第３実施形態を示す図である。
図３の充電電源１０１は、直流電源、または交流を直流に変換し、または直流を直流に変換する電源供給装置により構成され、充電検出装置１０２を経て、充放電可能装置１０４に対して充電する。その主要構成は下記を含む。
【００３３】
充電制御装置１０２は、電気機械または固体電子素子により構成され、またはマイクロプロセッサ及び必要なソフトウェアにより構成される。また、充電電源１０１の入力を受け、充放電可能装置１０４の充電電圧と充電電流の出力及び制御をし、かつ充放電可能装置１０４の充電状態検出装置１０７からの信号を受け、通電励磁巻線１０３に対する電源を送るタイミングを制御する。
本形態の充電制御装置１０２は独立回路装置または電源１０１と一体に構成することができる。
【００３４】
通電励磁巻線１０３は、入力電気エネルギーを磁気エネルギーに転換する素子または装置により構成される。また、電磁アクチュエータ導電装置１１０を設置し、または電磁アクチュエータ導電装置１１０と互いに作用する位置に設置することができる。通電励磁巻線１０３は充電状態検出装置１０７に直接制御され、または充電制御装置１０２に制御される。充放電可能装置１０４が満充電になったとき、その制御方式は、下記のうち少なくとも１種の制御方式を含む。
【００３５】
（１）満充電検出装置１０７を通して、通電励磁巻線１０３に対して直接通電または断電させることにより、磁気駆動部１１１を変位させ、更に電磁アクチュエータ導電装置１１０の導電装置１１２が充放電可能装置１０４に対する支持を解除する制御方式。
（２）満充電検出装置１０７の信号を充電制御装置１０２へ送り、通電励磁巻線１０３を通電または断電させることにより、磁気駆動部１１１を変位させ、更に電磁アクチュエータ導電装置１１０の導電装置１１２が充放電可能装置１０４に対する支持を解除する制御方式。
【００３６】
（３）充電制御装置１０２が充放電可能装置１０４に対して細流充電し、時間遅延設定後、充電制御装置１０２を駆動し、通電励磁巻線１０３を通電または断電させることにより、磁気駆動部１１１を変位させ、更に電磁アクチュエータ導電装置１１０の導電装置１１２が充放電可能装置１０４に対する支持を解除する制御方式。
（４）満充電検出装置１０７の信号を充電制御装置１０２へ送り、充電制御装置１０２が充放電可能装置１０４に対して充電電流を減少させ、更に充電状態検出装置１０７満充電の検出信号を待ち、充電制御装置１０２を駆動し、通電励磁巻線１０３を通電または断電させることにより、磁気駆動部１１１を変位させ、更に電磁アクチュエータ導電装置１１０の導電装置１１２が充放電可能装置１０４に対する支持を解除し、二段式充電を形成する制御方式。
【００３７】
（５）充電状態検出装置１０７を通して、満充電信号を検出し、数回に分けて段々に充電制御装置１０２に対して充放電可能装置１０４の充電電流を減少させ、最終回に充電制御装置１０２を駆動し、通電励磁巻線１０３を通電または断電させることにより、磁気駆動部１１１を変位させ、更に電磁アクチュエータ導電装置１１０の導電装置１１２が充放電可能装置１０４に対する支持を解除し、かつ重力及び／またはばね１０６の弾力を通して、充放電可能装置１０４の少なくとも１つの電極端が、電磁アクチュエータ導電装置１１０から離脱し、充電を停止する制御方式。
【００３８】
充放電可能装置１０４は、充電可能なアルカリ電池または各種の充放電可能な蓄電池、スパーキャパシタまたはキャパシタにより構成されることを含む。また、電磁アクチュエータ導電装置１１０の導電装置１１２に入れ込まれ、支持され及び充電される状態を形成する。充放電可能装置１０４と電磁アクチュエータ導電装置１１０の相対位置関係は、電磁アクチュエータ導電装置１１０が電磁により駆動されたとき、導電装置１１２が充放電可能装置１０４に対する支持を解除し、かつ重力及び／またはばね１０６の弾力を通して、充放電可能装置１０４の少なくとも１つの電極端が離脱し、電磁アクチュエータ導電装置１１０の充電を停止する。
【００３９】
充電状態検出装置１０７は、少なくとも１種の充電状態検出装置により構成され、充放電可能装置１０４が満充電状態を検出し、充放電可能装置１０４が満充電になったとき、下記の少なくとも１種の方式により、充放電可能装置１０４の解除を通して、充電を中断する。
【００４０】
（１）満充電検出装置１０７を通して、通電励磁巻線１０３に対して直接通電または断電させることにより、磁気駆動部１１１を変位させ、更に電磁アクチュエータ導電装置１１０の導電装置１１２が充放電可能装置１０４に対する支持を解除する方式。
（２）満充電検出装置１０７の信号を充電制御装置１０２へ送り、通電励磁巻線１０３を通電または断電させることにより、磁気駆動部１１１を変位させ、更に電磁アクチュエータ導電装置１１０の導電装置１１２が充放電可能装置１０４に対する支持を解除する方式。
【００４１】
（３）充電制御装置１０２が充放電可能装置１０４に対して細流充電し、時間遅延設定後、充電制御装置１０２を駆動し、通電励磁巻線１０３を通電または断電させることにより、磁気駆動部１１１を変位させ、更に電磁アクチュエータ導電装置１１０の導電装置１１２が充放電可能装置１０４に対する支持を解除する方式。
【００４２】
（４）満充電検出装置１０７の信号を充電制御装置１０２へ送り、充電制御装置１０２が充放電可能装置１０４に対して充電電流を減少させ、更に充電状態検出装置１０７満充電の検出信号を待ち、充電制御装置１０２を駆動し、通電励磁巻線１０３を通電または断電させることにより、磁気駆動部１１１を変位させ、更に電磁アクチュエータ導電装置１１０の導電装置１１２が充放電可能装置１０４に対する支持を解除し、二段式充電を形成する方式。
【００４３】
（５）充電状態検出装置１０７を通して、満充電信号を検出し、数回に分けて段々に充電制御装置１０２に対して充放電可能装置１０４の充電電流を減少させ、最終回に充電制御装置１０２を駆動し、通電励磁巻線１０３を通電または断電させることにより、磁気駆動部１１１を変位させ、更に電磁アクチュエータ導電装置１１０の導電装置１１２が充放電可能装置１０４に対する支持を解除し、かつ重力及び／またはばね１０６の弾力を通して、充放電可能装置１０４の少なくとも１つの電極端が、電磁アクチュエータ導電装置１１０から離脱し、充電を停止する方式。
【００４４】
図３に示す充電装置の電磁アクチュエータ導電装置１１０の作動は下記の通りである。
電磁アクチュエータ導電装置１１０の中には、別々に充放電可能装置１０４の正負極間を導電する導電装置１１２及び磁気駆動部１１１が設けられている。二者が同一の構成または個別の構成により電磁アクチュエータ導電装置１１０を構成する。
【００４５】
充放電可能装置１０４を導電装置１１２に入れ込むと、充放電可能装置１０４によりばね１０６に対してプレストレスト（圧縮応力）が作用する。導電装置１１２の圧縮応力及び導電特性を通して、充放電可能装置１０４に対して充電を行う。導電装置１１２に入れ込まれた充放電可能装置１０４が満充電になると、通電励磁巻線１０３に対して通電励磁し、磁気駆動部１１１を駆動する。このとき、重力及び／または設置したばね１０６の弾力を通して、充放電可能装置１０４の少なくとも１つの電極端が電磁アクチュエータ導電装置１１０から離脱し、充電を停止する。
図３の実施形態を、更に一歩進めて、片側に導電部を設置する充放電可能装置１０４へ応用した実施形態を次に示す。
【００４６】
（第４実施形態）
導電部を片側に設置する充放電可能装置１０４へ図３の実施形態を応用した本発明の第４実施形態を図４に示す。図４の導電装置１１２は、充放電可能装置１０４の片側に設置された導電部と結合し、また別に電磁アクチュエータ導電装置１１０に制御される支持部２２９を設け、充放電可能装置１０４を入れ込むときに充放電可能装置１０４を支持する。他の構成と作動は図３の実施形態と同じである。
【００４７】
（第５実施形態）
図５は、通電励磁巻線１０３が圧縮応力の開放及び磁気による支持機能により電磁アクチュエータ導電装置１１０を駆動する本発明の第５実施形態を示す図である。
【００４８】
図５の充放電可能装置１０４を入れ込むとき、下記の少なくとも１種の加圧支持力により、充放電可能装置１０４が支持される。その作動機能によると、充電制御装置１０２により充放電可能装置１０４から出力する充電電流を探知し、充電制御装置１０２により通電励磁巻線１０３を励磁し、磁気駆動部１１１を吸引し、導電装置１１２が充放電可能装置１０４に対して加圧支持し、導電装置１１２から離脱しない。
【００４９】
更に、導電装置１１２により充放電可能装置１０４に対して加圧支持し、充電電気エネルギーを伝送し、充放電可能装置１０４が満充電になったとき、充電状態検出装置１０７の検出及び直接または充電制御装置１０２の通電励磁巻線１０３を通過する電流を遮断することにより、導電装置１１２が充放電可能装置１０４に対して支持力を解除する。これにより、充放電可能装置１０４が導電装置１１２から離脱し、充電が停止される。
その離脱方式は、重力を通して離脱し、及び／またはばね１０６の推力を通して離脱することを含む。
図５の実施形態を、更に一歩進めて、片側に導電部を設置する充放電可能装置１０４へ応用した実施形態を次に示す。
【００５０】
（第６実施形態）
導電部を片側に設置する充放電可能装置１０４へ図５の実施形態を応用した本発明の第６実施形態を図６に示す。図６の導電装置１１２は、充放電可能装置１０４の片側に設置された導電部と結合し、また別に電磁アクチュエータ導電装置１１０に制御される支持部２２９を設け、充放電可能装置１０４を入れ込むときに充放電可能装置１０４を支持する。他の構成と作動は図５の実施形態と同じである。
【００５１】
本形態の充電装置を更に一歩進めた実施形態を次に示す。この実施形態では、電磁アクチュエータ導電装置１１０の導電装置１１２を同時に磁気駆動機能を持っている磁気駆動部１１１に作成し、導電装置１１２の圧縮応力を通して、充放電可能装置１０４を支持して充電し、満充電になったとき、電磁アクチュエータ導電装置１１０の中の通電励磁巻線１０３により駆動され、充放電可能装置１０４に対する支持を解除し、充電を停止する。
【００５２】
（第７実施形態）
図７は、通電励磁巻線１０３が満充電になったとき、通電により電磁アクチュエータ導電装置１１０を駆動すると同時に、磁気駆動部１１１の磁気駆動機能の導電装置１１２を持ち、充放電可能装置１０４を解除し、充電を停止する本発明の第７実施形態を示す図である。
【００５３】
図７の中に充放電可能装置１０４を入れ込むとき、導電装置１１２の圧縮応力を通して、同時に充放電可能装置１０４に対して支持し、及び充電電気エネルギーを伝送し、満充電になったとき、通電励磁巻線１０３の通電励磁に対して、電磁アクチュエータ導電装置１１０を駆動すると同時に、磁気駆動部１１１の磁気駆動機能とする導電装置１１２を持ち、充放電可能装置１０４を解除し、充電を停止する。その作動機能は図３と同じである。
図７の実施形態を更に一歩進めて、導電部を片側に設置する充放電可能装置１０４へ応用した実施形態を次に示す。
【００５４】
（第８実施形態）
導電部の片側に設置する充放電可能装置１０４へ図７の実施形態を応用した本発明の第８実施形態を図８に示す。図８の導電装置１１２は、充放電可能装置１０４の片側に設置された導電部と結合し、また別に電磁アクチュエータ導電装置１１０に制御される支持部２２９を設け、充放電可能装置１０４を入れ込むときに充放電可能装置１０４を支持する。他の構成と作動は図７の実施形態と同じである。
【００５５】
本形態の充電装置を更に一歩進めた実施形態を次に示す。この形態では、電磁アクチュエータ導電装置１１０の導電装置１１２は、磁気駆動部１１１の励磁力により駆動される機能を同時に有するように作られている。通電励磁巻線１０３を通過する励磁電流を通して、充放電可能装置１０４を支持するとともに充電するように、導電装置１１２を駆動する。満充電になったとき、通電励磁巻線１０３に対する励磁を中断し、導電装置１１２が充放電可能装置１０４に対する支持を解除し、充電が停止される。
【００５６】
（第９実施形態）
本発明の第９実施形態を図９に示す。
本形態では、通電励磁巻線１０３が電磁アクチュエータ導電装置１１０の導電装置１１２を駆動する。導電装置１１２は、磁気駆動部１１１の励磁力により駆動される機能を同時に有し、充放電可能装置１０４を支持し、充電する。満充電になったとき、通電励磁巻線１０３に対する励磁を停止し、導電装置１１２が充放電可能装置１０４を解除し、充電が停止される。
【００５７】
図９に示すように、充放電可能装置１０４が入れ込まれると、通電励磁巻線１０３に対する通電励磁を通して導電装置１１２が駆動される。導電装置１１２は、励磁力により駆動される機能を同時に有し、充放電可能装置１０４を支持し、充電電気エネルギーを伝送する。満充電になったとき、通電励磁巻線１０３に対する励磁を停止し、導電装置１１２から充放電可能装置１０４が解除され、充電が停止される。その作動機能は図５と同じである。
図９の実施形態を、更に一歩進め、片側に導電部が設置された充放電可能装置１０４へ応用した実施形態を次に示す。
【００５８】
（第１０実施形態）
導電部を片側に設置する充放電可能装置１０４へ図９の実施形態を応用した本発明の第１０実施形態を図１０に示す。図１０の導電装置１１２は、充放電可能装置１０４の片側に設置された導電部と結合し、また別に電磁アクチュエータ導電装置１１０に制御される支持部２２９を設け、充放電可能装置１０４が入れ込まれると充放電可能装置１０４を支持する。他の構成と作動は図９の実施形態と同じである。
【００５９】
本形態の充電装置を、更に一歩進めた実施形態を次に示す。この実施形態では、圧縮応力により押し離す電磁駆動吸引装置１１４を設置する。充放電可能装置１０４が充電されているとき、充電制御装置１０２により励磁電流を制御し、通電励磁巻線１０３へ流れ、電磁アクチュエータにより変位し、空けた空間に充放電可能装置１０４を入れ込み、かつ充放電可能装置１０４が満充電になったとき、充電状態検出装置１０７により検出され、直接制御または充電制御装置１０２を経て制御し、通電励磁巻線１０３を通過する励磁電流を断電させ、ばね１０６の駆動を通して、圧縮応力により押し離す電磁駆動吸引装置１１４が充放電可能装置１０４を押し、導電装置１１２から離脱し、充電を中断する。
【００６０】
（第１１実施形態）
図１１は、通電励磁巻線１０３が、電磁駆動吸引装置１１４を圧縮応力により押し離す、本発明の第１１実施形態を示す図である。
図１１の主要構成は下記を含む。
【００６１】
充電制御装置１０２は、電気機械または固体電子素子により構成され、またはマイクロプロセッサ及びソフトウェアにより構成される。また、充電電源１０１の入力を受け、充放電可能装置１０４の充電電圧及び充電電流の出力を制御するとともに、充放電可能装置１０４からの充電状態検出装置１０７の検出信号を受けて通電励磁巻線１０３に対する電源を送るタイミングを制御する。本形態の充電制御装置１０２は、独立回路装置または電源１０１と一体に構成することができる。
【００６２】
電磁アクチュエータ導電装置１１０は、充電制御装置１０２に接続される導電装置１１２が設けられている。また、充放電可能装置１０４を入れ込む空間に、圧縮応力により押し離す電磁駆動吸引装置１１４が設けられている。
【００６３】
圧縮応力により押し離す電磁駆動吸引装置１１４は、通電励磁巻線１０３及びばね１０６を持ち、電磁力の駆動及びばね力の復帰構成により構成される。
通電が中断されるとき、ばね１０６の圧縮応力を通して、圧縮応力により押し離す電磁駆動吸引装置１１４の移動構成は、充放電可能装置１０４を押し離し導電装置１１２の位置にある。
通電励磁巻線１０３が通電励磁されるとき、圧縮応力により押し離す電磁駆動吸引装置１１４の移動部品は、吸引されて移動することにより、充放電可能装置１０４を入れ込む空間、すなわち導電装置１１２の充電位置を提供する。
【００６４】
充電状態検出装置１０７は、少なくとも１種の充電状態検出装置により構成され、充放電可能装置１０４の満充電状態を検出し、充放電可能装置１０４の充電状態検出装置１０７の構成方式は、次の（１）から（７）までのうち少なくとも１種の構成方式を含む。
（１）充電中の端電圧検出装置により構成され、端電圧の検出方式により充電状態検出装置１０７を構成し、充電制御装置１０２の充電電気エネルギーを出力するエネルギーの正負極端に設置し、または充放電可能装置１０４の正負電極の両端に設置し、二者とも充放電可能装置１０４の充電中の端電圧の信号を検出することができ、上記により充放電可能装置１０４の満充電状態を判断する構成方式。
【００６５】
（２）満充電電圧が突然下降する検出回路により構成され、端電圧検出装置を充電状態検出装置１０７とし、充放電可能装置１０４が満充電になったとき、端電圧が突然下降し、端電圧検出装置は充電制御装置１０２の充電電気エネルギーを出力する正負極端に設置することができ、または充放電可能装置１０４の正負電極の両端に設置し、二者とも充放電可能装置１０４が満充電になったとき、端電圧が突然下降する電気エネルギーの信号を検出することができる構成方式。
【００６６】
（３）充電電流検出回路により構成され、満充電の充電電流が下降するとき、電流値の信号を提供する構成方式。
（４）温度スイッチ装置により構成され、充放電可能装置１０４が満充電になり、温度が設定値まで上昇したとき、スイッチ機能が作動する構成方式。
（５）正または負の温度に関連する抵抗係数の素子により構成され、充放電可能装置１０４が満充電になり、温度が設定値まで上昇したとき、相対的に抵抗値が変化する構成方式。
【００６７】
（６）内部抵抗測定回路により構成され、充放電可能装置１０４が満充電になり、内部抵抗が相対的に変化したとき、相対的に阻抗値の信号を検出する構成方式。
（７）その他よく用いる充放電可能装置１０４の満充電を検出する方法と装置による構成方式。
【００６８】
充電状態検出装置１０７により制御される作動は、次の（１）から（３）までのうち少なくとも１種の機能を含む。
（１）充放電可能装置１０４の充電状態検出装置１０７は通電励磁巻線１０３の通電励磁を直接遮断する機能。
（２）充電状態検出装置１０７の検出信号を充電制御装置１０２へ送り、充電制御装置１０２により通電励磁巻線１０３の電気エネルギーを遮断する機能。
（３）充電状態検出装置１０７の検出信号を充電制御装置１０２へ送り、充電制御装置１０２が充放電可能装置１０４に対して細流充電し、時間遅延設定後、または再び充電状態検出装置１０７が満充電の信号を検出したとき、充電制御装置１０２により通電励磁巻線１０３の電気エネルギーを遮断し、励磁を停止する機能。
【００６９】
充電状態検出装置１０７の制御を通して、充電制御装置１０２により通電励磁巻線１０３の電気エネルギーを遮断したとき、ばね１０６の圧縮応力を通して、圧縮応力により押し離した電磁駆動吸引装置１１４を動かし、更に充放電可能装置１０４を押し離すと、導電装置１１２の充電が停止する。
充放電可能装置１０４は、充電可能なアルカリ電池または各種の充放電可能な蓄電池、スーパーキャパシタまたはキャパシタにより構成されることを含み、電磁アクチュエータ導電装置１１０の導電装置１１２に入れ込まれ、支持され及び充電される状態を形成する。
【００７０】
電磁駆動吸引装置１１４の通電励磁巻線１０３の励磁が中断し、または励磁電流が圧縮応力により押し離す電磁駆動吸引装置１１４のばね１０６により押し離す臨界電流値まで下がるとき、充放電可能装置１０４の少なくとも１つの電極端が、電磁アクチュエータ導電装置１１０から離脱し、充電を停止する。
【００７１】
図１１で述べた充電装置を、更に一歩進めた実施形態では、同期パワースイッチ機能を設置することができる。同期パワースイッチを電磁アクチュエータ導電装置１１０と互いに作用する位置に設置し、充放電可能装置１０４を入れ込み、電磁アクチュエータ導電装置１１０が動かされて変形されたとき、同時に同期パワースイッチを押すことにより、充放電可能装置１０４に対して、電源を送って充電する。
同期パワースイッチは、電気機械式または固体式スイッチ装置により構成されることを含む。下記の１種または１種以上の操作方式により、スイッチ機能を操作する。操作スイッチは下記を含む。機械式変位のタッチ、光電式操作、圧力式操作、音声オペレーション、静電気操作、磁気感応の制御、電磁誘導性操作、静電容量センサー操作等の方式により、電源のスイッチ機能を操作する。これらの実施形態を下記に示す。
【００７２】
（第１２実施形態）
図１１の形態にリード型接点（１２６）を設けて同期パワースイッチとする応用実施形態である、本発明の第１２実施形態を図１２に示す。
図１２は図１１の充電装置を更に一歩進めた形態であり、導電装置１１２と同期操作スイッチを構成するリード型接点（１２６）を設置している。ここで、充放電可能装置１０４を入れ込むと、同時に電源をオンする。一方、充放電可能装置１０４が導電装置１１２から離脱すると同時に、電源をオフする。
【００７３】
（第１３実施形態）
図１３は、図１１の形態にリミットスイッチ（ｌｉｍｉｔ  ｓｗｉｔｃｈ）１１７を設けて同期パワースイッチとする、本発明の第１３実施形態を示す図である。
図１３は図１１の充電装置を更に一歩進めた形態であり、導電装置１１２と同期操作スイッチを構成するリミットスイッチ１１７を設置している。ここで、充放電可能装置１０４を入れ込むと、同時に電源をオンする。一方、充放電可能装置１０４が導電装置１１２から離脱すると同時に、電源をオフする。
図１１〜図１３に示す実施形態を、更に一歩進めて、導電部を片側に設置する充放電可能装置１０４へ応用することができる。これらの実施形態を次に示す。
【００７４】
（第１４実施形態）
導電部を片側に設置する充放電可能装置１０４へ図１１の実施形態を応用実した本発明の第１４実施形態を図１４に示す。図１４の導電装置１１２は、充放電可能装置１０４の片側に設置された導電部と結合し、また別に電磁アクチュエータ導電装置１１０に制御される支持部２２９を設け、充放電可能装置１０４が入れ込まれると充放電可能装置１０４を支持する。他の構成と作動は図１１の実施形態と同じである。
【００７５】
（第１５実施形態）
導電部を片側に設置する充放電可能装置１０４に図１２の実施形態を応用した本発明の第１５実施形態を図１５に示す。図１５の導電装置１１２は、充放電可能装置１０４の片側に設置された導電部と結合し、また別に電磁アクチュエータ導電装置１１０に制御される支持部２２９を設け、及び導電装置１１２と同期操作スイッチを構成するリード型接点（１２６）を設置し、充放電可能装置１０４が入れ込まれると充放電可能装置１０４を支持する。他の構成と作動は図１２の実施形態と同じである。
【００７６】
（第１６実施形態）
図１６は、図１３の形態にリミットスイッチ１１７を設けて同期パワースイッチとする、本発明の第１６実施形態を示す図である。
図１６の導電装置１１２は、充放電可能装置１０４の片側に設置される導電部と結合し、また別に電磁アクチュエータ導電装置１１０に制御される支持部２２９を設け、充放電可能装置１０４が入れ込まれると充放電可能装置１０４を支持する。他の構成と作動は図１３の実施形態と同じである。
【００７７】
本形態の充電装置を、更に一歩進めた実施形態では、通電励磁巻線１０３を通過する充電電流を通して、電磁アクチュエータ導電装置１１０の中の磁路鉄芯１２７を駆動し、更に導電装置１１２を伝動することにより、充放電可能装置１０４を支持固定してかつ充電する。満充電充電電流が中断または減少するとき、電磁アクチュエータ導電装置１１０及び導電装置１１２が充放電可能装置１０４に対する支持が導電装置１１２から離脱し、充電が中断される。この実施形態を次に示す。
【００７８】
（第１７実施形態）
通電励磁巻線１０３を通過する充電電流を通して、圧縮応力を解除し、及び磁気支持機能の電磁アクチュエータ導電装置１１０を駆動する、本発明の第１７実施形態を図１７に示す。
図１７の主要構成は下記の通りである。
【００７９】
充電電源１０１は、各種の直流電源または交流を直流に変換する直流充電電源である。
充電制御装置１０２は、充放電可能装置１０４に対して、下記の少なくとも１種の機能を制御することを含む。
（１）充電時間を制御する機能。
（２）充電電圧を制御する機能。
（３）充電電流を制御する機能。
【００８０】
電磁アクチュエータ導電装置１１０は、充電制御装置１０２に接続される導電装置１１２を有する。また、電磁アクチュエータ導電装置１１０は、充放電可能装置１０４を入れ込む空間に電磁アクチュエータ１２４を有し、電磁アクチュエータ１２４に通電励磁巻線１０３、磁路鉄芯１２７、磁気駆動部１１１、磁路鉄芯１２７、導電装置１１２、戻しばね１１６を設ける。
ここで、通電励磁巻線１０３通電時には、磁気駆動部１１１を吸引駆動し、磁気駆動部１１１と同一構成である導電装置１１２が充放電可能装置１０４を支持し、充放電可能装置１０４に対して充電する。一方、通電励磁巻線１０３の電流が小さくなるかまたは中断するとき、戻しばね１１６の圧縮応力を通して、磁気駆動部１１１を戻させ、導電装置１１２が充放電可能装置１０４に対する支持を解除する。
【００８１】
並列分流回路装置（１２０）は、電気機械式または電子回路素子または固体パワー素子により構成され、通電励磁巻線１０３の両端に並列に接続し、通電励磁巻線１０３を通過する電流値を制御し、更に電磁アクチュエータ導電装置１１０の離脱タイミングを制御する。もし用いられる充電電流の全てが電磁アクチュエータ導電装置１１０に対する励磁電流であるとき、並列分流回路装置（１２０）を設置しなくてよい。
【００８２】
上述した充電電源１０１の電気エネルギーは直接または充電制御装置１０２を経て通電励磁巻線１０３を通過する。通電励磁巻線１０３を通過する充電電流の全部または一部の充電電流は、導電装置１１２を経て充放電可能装置１０４を通過し、充放電可能装置１０４を充電する。
【００８３】
充電電流を通電励磁巻線１０３に通過させるために充放電可能装置１０４が入れ込まれると、電磁アクチュエータ１２４は、磁気により、電磁アクチュエータ導電装置１１０の磁気駆動部１１１及び磁気駆動部１１１と同一構成である導電装置１１２に吸引され、充放電可能装置１０４に対して支持力及び導電機能を生じる。
【００８４】
充電後、充放電可能装置１０４の電圧が段々上昇し、充電電流が小さくなり、更に通電励磁巻線１０３へ流れる電流が小さくなったとき、または充電制御装置１０２の制御を通して通電励磁巻線１０３へ流れる電流が中断されるとき、電磁アクチュエータ１２４の着磁が中断され、戻しばね１１６の圧縮応力を通して、磁気駆動部１１１及び磁気駆動部１１１と同一構成である導電装置１１２が充放電可能装置１０４に対する支持を解除する。
【００８５】
図１７で述べた実施形態を、更に一歩進めた形態では、ばね１０６を設置する。この形態では、通電励磁巻線１０３を経過する電流が小さくなって、解除の臨界値に達し、または中断されるとき、磁気駆動部１１１及びと磁気駆動部１１１と同一構成である導電装置１１２が充放電可能装置１０４に対する支持を解除する。このとき、強制的に充放電可能装置１０４は導電装置１１２から押し離され、充電が停止される。この実施形態を次に示す。
【００８６】
（第１８実施形態）
図１８は、図１７の電磁アクチュエータ導電装置１１０にばね１０６を設置する、本発明の第１８実施形態を示す図である。
図１８の主要構成は、図１７と同じであるが、更に一歩進めた構成となっている。その特徴は、充放電可能装置１０４が入れ込まれる導電装置１１２の空間に、ばね１０６を設けていることである。
通電励磁巻線１０３を経過する電流が小さくなり、解除の臨界値に達し、または中断されるとき、磁気駆動部１１１及び磁気駆動部１１１と同一構成である導電装置１１２が充放電可能装置１０４に対する支持を解除する。このとき、ばね１０６を通して、充放電可能装置１０４は、押し離され、導電装置１１２から離脱する。
【００８７】
（第１９実施形態）
図１９に押圧式起動構成２３１を設置することにより充電機能を起動する、本発明の第１９実施形態を図１９に示す。
本形態では、図１７及び１８で述べた充電装置を更に一歩進めた形態であり、導電装置１１２の正負電極ピッチ状態を採用する。この形態では、前述のピッチは、充電を開始する前は、充放電可能装置１０４の電極ピッチより大きく、充放電可能装置１０４を入れ込んだ後は、別に外力により駆動される起動構成を通して、導電装置１１２の正負電極が近付くように押され、充放電可能装置１０４の正負電極と接触する。
【００８８】
このとき、充電電源は、正負電極としての両導電装置１１２を介して、充放電可能装置１０４に対して充電する。ここで、充電電流が同時に通電励磁巻線１０３を通電励磁させ、更に磁気駆動部１１１が吸引され、磁気駆動部１１１と同一構成である導電装置１１２が、継続して充放電可能装置１０４を支持し、充放電可能装置１０４に対して充電し続ける。
図１９の主要構成は下記の通りである。
【００８９】
充電電源１０１は、各種の直流電源または交流を直流に変換する直流充電電源である。
充電制御装置１０２は、充放電可能装置１０４に対して、下記の少なくとも１種の機能を制御することを含む。
（１）充電時間を制御する機能。
（２）充電電圧を制御する機能。
（３）充電電流を制御する機能。
【００９０】
電磁アクチュエータ導電装置１１０は、充電制御装置１０２に接続される導電装置１１２を有する。導電装置１１２と磁気駆動部１１１は同一に構成される。正負電極の導電装置１１２のピッチは、充放電可能装置１０４の電極ピッチより大きい。位置決めリング部１０５が充放電可能装置１０４に入れ込まれた後、外力が押圧式起動構成２３１を駆動し、導電装置１１２の正負電極が近付くように押され、充放電可能装置１０４の正負電極と接触する。
【００９１】
充電電源は、正負電極の両導電装置１１２を経て、充放電可能装置１０４に対して電力を供給する。同時に通電励磁巻線１０３が通電励磁され、電磁アクチュエータ１２４を作用させて磁気駆動部１１１を吸引し、磁気駆動部１１１と同一構成である導電装置１１２が力を受けて継続して充放電可能装置１０４を支持するとともに充放電可能装置１０４に対して充電する。
【００９２】
通電励磁巻線１０３の電流が小さくなって、解除の臨界値に達し、または中断されるとき、戻しばね１１６の磁気駆動部１１１及び磁気駆動部１１１と同一構成である導電装置１１２は、充放電可能装置１０４に対する支持を解除し、充電を中断する。
【００９３】
もし図１７〜１９に述べた導電装置と支持部を異なる位置の分離構成に設置し、また導電装置１１２及び支持部２２９に分かれたとき、その中の充電電気エネルギーを伝送する導電装置１１２を充放電可能装置１０４を入れ込む方向に向かって設置する。
支持部２２９は同じ構成ではあるが、支持のみの機能を持ち、充放電可能装置１０４の側辺を支持する。
【００９４】
ここで、充放電可能装置１０４を入れ込むことにより、充電電源が充放電可能装置１０４に対して電源を送出させ、更に通電励磁巻線１０３を通電励磁させ、電磁アクチュエータ１２４により充放電可能装置１０４を支持固定する。
一方、通電励磁巻線１０３の電流が小さくなりまたは中断するとき、戻しばね１１６の圧縮応力を通して、磁気駆動部１１１及びと磁気駆動部１１１と同一構成である導電装置１１２が充放電可能装置１０４に対する支持を解除する。
【００９５】
図１７〜図１９の実施形態を、更に一歩進めて、導電部を片側に設置する充放電可能装置１０４に応用した実施形態を次に示す。
【００９６】
（第２０実施形態）
導電部を片側に設置する充放電可能装置１０４へ図１７の実施形態を応用した本発明の第２０実施形態を図２０に示す。図２０の導電装置１１２は、充放電可能装置１０４の片側に設置する導電部と結合し、また別に電磁アクチュエータ導電装置１１０に制御される支持部２２９を設け、充放電可能装置１０４が入れ込まれると充放電可能装置１０４を支持する。他の構成と作動は図１７の実施形態と同じである。
【００９７】
（第２１実施形態）
導電部を片側に設置する充放電可能装置１０４へ図１８の実施形態を応用した本発明の第２１実施形態を図２１に示す。図２１の導電装置１１２は、充放電可能装置１０４の片側に設置する導電部と結合し、また別に電磁アクチュエータ導電装置１１０に制御される支持部２２９を設け、充放電可能装置１０４が入れ込まれると充放電可能装置１０４を支持し、満充電また支持部２２９が充放電可能装置１０４に対する支持を解除したとき、ばね１０６を通して、充放電可能装置１０４を押し離して、導電装置１１２から離脱する。他の構成と作動は図１８の実施形態と同じである。
【００９８】
（第２２実施形態）
導電部を片側に設置する充放電可能装置１０４へ図１９の実施形態を応用した本発明の第２２実施形態を図２２に示す。図２２の導電装置１１２は、充放電可能装置１０４の片側に設置する導電部と結合し、導電装置１１２と充放電可能装置１０４の間に圧縮応力を受けるリード（以下、プレストレストリードという）１０８を設置する。
【００９９】
プレストレストリード１０８は圧縮応力による弾性構成を有する。その圧縮応力は、正常状態において充放電可能装置１０４を押し離させまた充電を中断する方向であり、支持部２２９の支持力より小さく、充放電可能装置１０４の重量より大きい。
プレストレストリード１０８は、導電装置１１２の正電極及び負電極の電気エネルギーを充放電可能装置１０４の正電極及び負電極へ伝送する中継導電部１０８１を有する。
【０１００】
プレストレストリード１０８は、絶縁材料により製造される場合は、中継導電部１０８１を直接その上に設置することができる。また、プレストレストリード１０８は、導電材料により製造される場合は、中継導電部１０８１とプレストレストリード１０８の間に別に絶縁体を加える必要がある。
充放電可能装置１０４が入れ込まれると、電磁アクチュエータ導電装置１１０に制御される支持部２２９が、押圧式起動構成２３１に対する操作を通して、充放電可能装置１０４を支持し、プレストレストリード１０８を作動させる。
【０１０１】
導電装置１１２の電気エネルギーは、充電のため、プレストレストリード１０８に設置する中継導電部１０８１を経て、充放電可能装置１０４まで伝送さる。支持部２２９を通電励磁巻線１０３の通電励磁が継続して充放電可能装置１０４を支持し、満充電になったとき、支持部２２９が離脱し、充放電可能装置１０４に対する支持を解除する。プレストレストリード１０８の圧縮応力を用いることにより、充放電可能装置１０４を導電装置１１２との連結が弾き離れ、充電が中断される。他の構成と作動は図１９の実施形態と同じである。
【０１０２】
（第２３実施形態）
図２２の実施形態の充放電可能装置１０４とプレストレストリード１０８と導電装置１１２が接続していない状態である、本発明の第２３実施形態を図２３に示す。
【０１０３】
（第２４実施形態）
図２４は、図２２の実施形態の充放電可能装置１０４とプレストレストリード１０８と導電装置１１２が接続している状態である、本発明の第２４実施形態を示す図である。
【０１０４】
（第２５実施形態）
本発明の第２５実施形態を図２５に示す。本形態は、通電励磁巻線１０３を設け、電磁駆動変位部の電磁アクチュエータ導電装置１１０を駆動する。
【０１０５】
本形態は、第２４実施形態の充電装置を、更に一歩進めた実施形態であり、電磁アクチュエータ導電装置１１０に電磁駆動変位部１１５を設置可能である。
電磁駆動変位部１１５は、充放電可能装置１０４から電磁アクチュエータ導電装置１１０を押し離す位置に設置される。充放電可能装置１０４が満充電になったとき、通電励磁巻線１０３を通して、電磁駆動変位部１１５を駆動し、充放電可能装置１０４により電磁アクチュエータ導電装置１１０を押し離す。
【０１０６】
図２５に示す充電装置の作動機能は次の通りである。充放電可能装置１０４は、電磁アクチュエータ導電装置１１０に入れ込まれると、導電装置１１２に支持され、充電される。充放電可能装置１０４が満充電になったとき、充放電可能装置１０４の充電状態の充電状態検出装置１０７を検出し、満充電になったとき、下記の（１）から（５）までのうち少なくとも１種の作動機能を行う。
【０１０７】
（１）満充電検出装置１０７を通して、通電励磁巻線１０３に対して直接通電または断電させることにより、磁気駆動部１１１を変位させると同時に、電磁駆動変位部１１５を駆動し、充放電可能装置１０４を押し離し、更に電磁アクチュエータ導電装置１１０の導電装置１１２が充放電可能装置１０４に対する支持を解除する作動機能。
【０１０８】
（２）満充電検出装置１０７の信号を充電制御装置１０２へ送り、通電励磁巻線１０３を通電または断電させることにより、磁気駆動部１１１を変位させると同時に、電磁駆動変位部１１５を駆動し、充放電可能装置１０４を押し離し、更に電磁アクチュエータ導電装置１１０の導電装置１１２が充放電可能装置１０４に対する支持を解除する作動機能。
【０１０９】
（３）充電制御装置１０２が充放電可能装置１０４に対して細流充電し、時間遅延設定後、充電制御装置１０２を駆動し、通電励磁巻線１０３を通電または断電させることにより、磁気駆動部１１１を変位させると同時に、電磁駆動変位部１１５を駆動し、充放電可能装置１０４を押し離し、更に電磁アクチュエータ導電装置１１０の導電装置１１２が充放電可能装置１０４に対する支持を解除する作動機能。
【０１１０】
（４）満充電検出装置１０７の信号を充電制御装置１０２へ送り、充電制御装置１０２が充放電可能装置１０４に対して充電電流を減少させ、更に充電状態検出装置１０７満充電の検出信号を待ち、充電制御装置１０２を駆動し、通電励磁巻線１０３を通電または断電させることにより、磁気駆動部１１１を変位させると同時に、電磁駆動変位部１１５を駆動し、充放電可能装置１０４を押し離し、更に電磁アクチュエータ導電装置１１０の導電装置１１２が充放電可能装置１０４に対する支持を解除し、二段式充電を形成する作動機能。
【０１１１】
（５）充電状態検出装置１０７を通して、満充電信号を検出し、数回に分けて段々に充電制御装置１０２に対して充放電可能装置１０４の充電電流を減少させ、最終回に充電制御装置１０２を駆動し、通電励磁巻線１０３を通電励磁させ、磁気駆動部１１１を変位させることにより、導電装置１１２を押し離し、及び通電励磁巻線１０３が通電励磁されると同時に、電磁駆動変位部１１５を駆動し、充放電可能装置１０４を押し離し、充放電可能装置１０４の少なくとも１つの電極端が導電装置１１２から離脱し、充電を中断する作動機能。
【０１１２】
図２５に示す充電装置を、更に一歩進めた実施形態を次に示す。この形態では、同期パワースイッチ機能を設置することができる。同期パワースイッチを電磁アクチュエータ導電装置１１０と互いに作用する位置に設置し、また充放電可能装置１０４を入れ込み、電磁アクチュエータ導電装置１１０が動かされて変形されたと同時に、同期パワースイッチを押すことにより、充放電可能装置１０４に対して、電源を送って充電させる。同期パワースイッチは電気機械式または固体式スイッチ装置により構成されることを含む。下記の少なくとも１種の操作方式により、スイッチ機能を操作する。スイッチの操作は下記を含む。機械式変位のタッチ、光電式操作、圧力式操作、音声オペレーション、静電気操作、磁気感応の制御、電磁誘導性操作、静電容量センサー操作等の方式により、電源のスイッチ機能を操作する。
【０１１３】
（第２６実施形態）
図２５の実施形態のリード型接点（１２６）を同期パワースイッチとする、本発明の第２６実施形態を図２６に示す。
図２６に示す本形態では、導電装置１１２と同期操作スイッチの導電接点を構成するリード型接点（１２６）を設置し、その設置位置は、充放電可能装置１０４が入れ込まれると、充放電可能装置１０４が入れ込まれることを通してまたは電磁アクチュエータ導電装置１１０のリードが変位することにより、充電電源をオフからオンに切り替える。
【０１１４】
（第２７実施形態）
図２５の実施形態のリミットスイッチ１１７を同期パワースイッチとする、本発明の第２７実施形態を図２７に示す。
図２７の同期パワースイッチは、リミットスイッチ１１７により構成される。同期パワースイッチは、充放電可能装置１０４が入れ込まれるときに設置し、充放電可能装置１０４を入れ込むときまたは電磁アクチュエータ導電装置１１０のリードが変位することにより、充電電源をオフからオンに切り替えることを示す。
図２５〜図２７の実施形態を、更に一歩進め、導電部を片側に設置する充放電可能装置１０４に応用した実施形態を次に示す。
【０１１５】
（第２８実施形態）
導電部を片側に設置する充放電可能装置１０４へ図２５の実施形態を応用した本発明の第２８実施形態を図２８に示す。図２８の導電装置１１２は、充放電可能装置１０４の片側に設置する導電部と結合し、また別に電磁アクチュエータ導電装置１１０に制御される支持部２２９を設け、充放電可能装置１０４を入れ込まれると充放電可能装置１０４を支持する。他の構成と作動は図２５の実施形態と同じである。
【０１１６】
（第２９実施形態）
導電部を片側に設置する充放電可能装置１０４へ図２６の実施形態を応用した本発明の第２９実施形態を図２９に示す。図２９の導電装置１１２は、充放電可能装置１０４の片側に設置する導電部と結合し、また別に電磁アクチュエータ導電装置１１０に制御される支持部２２９を設け、充放電可能装置１０４が入れ込まれると充放電可能装置１０４を支持する。他の構成と作動は図２４の実施形態と同じである。
【０１１７】
（第３０実施形態）
導電部を片側に設置する充放電可能装置１０４へ図２７の実施形態を応用した本発明の第３０実施形態を図３０に示す。図３０の導電装置１１２は、充放電可能装置１０４の片側に設置される導電部と結合し、また別に電磁アクチュエータ導電装置１１０に制御される支持部２２９を設け、充放電可能装置１０４が入れ込まれると充放電可能装置１０４を支持する。他の構成と作動は図２７の実施形態と同じである。
【符号の説明】
【０１１８】
１０１  ・・・充電電源
１０２  ・・・充電制御装置
１０３  ・・・通電励磁巻線
１０４  ・・・充放電可能装置
１０５  ・・・位置決めリング部
１０６  ・・・ばね
１０７  ・・・充電状態検出装置
１０８  ・・・プレストレストリード
１１０  ・・・電磁アクチュエータ導電装置
１１１  ・・・磁気駆動部
１１２  ・・・導電装置
１１４  ・・・電磁駆動吸引装置
１１５  ・・・電磁駆動変位部
１１６  ・・・戻しばね
１１７  ・・・リミットスイッチ
１２０  ・・・並列分流回路装置
１２４  ・・・電磁アクチュエータ
１２６  ・・・リード型接点
１２７  ・・・磁路鉄芯
２２９  ・・・支持部
２３１  ・・・押圧式起動構成
１０６０・・・充放電可能装置の離脱部装置
１０８１・・・中継導電部
【図１】
2011083185.tif 000003
【図２】
2011083185.tif 000004
【図３】
2011083185.tif 000005
【図４】
2011083185.tif 000006
【図５】
2011083185.tif 000007
【図６】
2011083185.tif 000008
【図７】
2011083185.tif 000009
【図８】
2011083185.tif 000010
【図９】
2011083185.tif 000011
【図１０】
2011083185.tif 000012
【図１１】
2011083185.tif 000013
【図１２】
2011083185.tif 000014
【図１３】
2011083185.tif 000015
【図１４】
2011083185.tif 000016
【図１５】
2011083185.tif 000017
【図１６】
2011083185.tif 000018
【図１７】
2011083185.tif 000019
【図１８】
2011083185.tif 000020
【図１９】
2011083185.tif 000021
【図２０】
2011083185.tif 000022
【図２１】
2011083185.tif 000023
【図２２】
2011083185.tif 000024
【図２３】
2011083185.tif 000025
【図２４】
2011083185.tif 000026
【図２５】
2011083185.tif 000027
【図２６】
2011083185.tif 000028
【図２７】
2011083185.tif 000029
【図２８】
2011083185.tif 000030
【図２９】
2011083185.tif 000031
【図３０】
2011083185.tif 000032